(57)【要約】  ダウンリンク制御情報（DCI）が第1の帯域幅部分（BWP）の物理ダウンリンク制御チャネル（PDCCH）で伝送される、無線通信のための方法および装置が提供される。UEは、DCI内の周波数領域リソース割り振りフィールドの値と、基準RBと、第2のBWPの基準サイズとに基づいて、DCIによって割り振られたデータ伝送のための開始リソースブロック（RB）を決定する機能を有する。次いで、UEは、データ伝送を、例えばPUSCHの場合には送信し、例えばPDSCHの場合には受信することができる。
2021507651.tif 000002
【特許請求の範囲】
【請求項１】
無線通信のための方法であって、
ユーザ機器（UE）により、アクティブなダウンリンク（DL）帯域幅部分（BWP）の物理ダウンリンク制御チャネル（PDCCH）でダウンリンク制御情報（DCI）を受信するステップであって、前記DCIがデータ伝送をスケジュールするためのものであり、前記DCIが周波数領域リソース割り振りフィールドを含む、ステップと、
前記UEにより、少なくとも開始リソースブロック（RB）および連続して割り振られたRBの長さによって定義された時間周波数リソースで前記データ伝送を受信するステップであって、前記開始RBが、前記DCI内の前記周波数領域リソース割り振りフィールドの値と、基準RBと、第1の制御リソースセット（CORESET）のRBの数とに基づくものであり、連続して割り振られたRBの前記長さが、前記DCI内の前記周波数領域リソース割り振りフィールドの前記値と、前記第1のCORESETのRBの前記数とに基づくものである、ステップと
を含む方法。
【請求項２】
前記基準RBが、第2のCORESET内の最低番号の物理リソースブロック（PRB）であり、前記第2のCORESETが、前記DCIが前記UEによって復号されているCORESETである、請求項1に記載の方法。
【請求項３】
前記UEにより、
前記DCIが非インターリーブ仮想RB（VRB）対PRBマッピングでの前記データ伝送のためのフォールバックDCIであり、
前記フォールバックDCIが共通探索空間で復号され、
前記データ伝送では、仮想RB nがPRB
【数１】
2021507651.tif 000030
にマップされ、PRB
【数２】
2021507651.tif 000031
が、前記フォールバックDCIが前記UEによって復号されている前記CORESET内の前記最低番号のPRBである、
と判断するステップ
をさらに含む、請求項2に記載の方法。
【請求項４】
前記アクティブなDL BWPが、仮想RBのバンドル対物理RBのインターリーブバンドルのインターリーブマッピングに基づく前記データ伝送のためのRBの分配を含み、前記開始RBが仮想開始RBであり、連続して割り振られたRBの前記長さが、連続して割り振られた仮想RBの長さであり、前記仮想開始RBが、連続して割り振られた仮想RBの前記長さの開始を定義する、請求項1に記載の方法。
【請求項５】
前記データ伝送を受信するステップが、
前記データ伝送を、物理RBの前記インターリーブバンドルによって定義された時間周波数リソースで受信するステップであって、物理RBの前記インターリーブバンドルが、前記仮想開始RBと、連続して割り振られた仮想RBの前記長さと、前記インターリーブマッピングと、物理RBの基準バンドルとに基づくものである、ステップ
を含む、請求項4に記載の方法。
【請求項６】
物理RBの前記基準バンドルが、第2のCORESET内の最低番号の物理リソースブロック（PRB）を含む物理RBのバンドルであり、前記第2のCORESETが、前記DCIが前記UEによって復号されているCORESETである、請求項5に記載の方法。
【請求項７】
前記DCIがフォールバックDCIである、請求項1から6のいずれか一項に記載の方法。
【請求項８】
前記第1のCORESETが「0」というCORESET識別子と関連付けられている、請求項1から7のいずれか一項に記載の方法。
【請求項９】
前記DCIがUEのグループと関連付けられており、前記DCIによってスケジュールされた前記データ伝送が、前記UEのグループ内のすべてのUEに同じ時間周波数リソースで割り振られたダウンリンクデータ伝送である、請求項1から8のいずれか一項に記載の方法。
【請求項１０】
ユーザ機器（UE）であって、
プロセッサと、
前記プロセッサによって実行されると、前記UEに請求項1から9のいずれか一項に記載の方法を行わせるコンピュータ実行可能命令を格納しているコンピュータ可読媒体と
を含むUE。
【請求項１１】
無線通信のための方法であって、
基地局により、アクティブなダウンリンク（DL）帯域幅部分（BWP）の物理ダウンリンク制御チャネル（PDCCH）でダウンリンク制御情報（DCI）を送信するステップであって、前記DCIがデータ伝送をスケジュールするためのものであり、前記DCIが周波数領域リソース割り振りフィールドを含む、ステップと、
前記基地局により、ユーザ機器（UE）に、少なくとも開始リソースブロック（RB）および連続して割り振られたRBの長さによって定義された時間周波数リソースで前記データ伝送を送信するステップであって、前記開始RBが、前記DCI内の前記周波数領域リソース割り振りフィールドの値と、基準RBと、第1の制御リソースセット（CORESET）のRBの数とに基づくものであり、連続して割り振られたRBの前記長さが、前記DCI内の前記周波数領域リソース割り振りフィールドの前記値と、前記第1のCORESETのRBの前記数とに基づくものである、ステップと
を含む方法。
【請求項１２】
前記基準RBが、第2のCORESET内の最低番号の物理リソースブロック（PRB）であり、前記第2のCORESETが、前記DCIが前記UEによって復号されているCORESETである、請求項11に記載の方法。
【請求項１３】
前記アクティブなDL BWPが、仮想RBのバンドル対物理RBのインターリーブバンドルのインターリーブマッピングに基づく前記データ伝送のためのRBの分配を含み、前記開始RBが仮想開始RBであり、連続して割り振られたRBの前記長さが、連続して割り振られた仮想RBの長さであり、前記仮想開始RBが、連続して割り振られた仮想RBの前記長さの開始を定義する、請求項11に記載の方法。
【請求項１４】
前記データ伝送を送信するステップが、
前記データ伝送を、物理RBの前記インターリーブバンドルによって定義された時間周波数リソースで送信するステップであって、物理RBの前記インターリーブバンドルが、前記仮想開始RBと、連続して割り振られた仮想RBの前記長さと、前記インターリーブマッピングと、物理RBの基準バンドルとに基づくものである、ステップ
を含む、請求項13に記載の方法。
【請求項１５】
物理RBの前記基準バンドルが、第2のCORESET内の最低番号の物理リソースブロック（PRB）を含む物理RBのバンドルであり、前記第2のCORESETが、前記DCIが前記UEによって復号されているCORESETである、請求項14に記載の方法。
【請求項１６】
前記DCIがフォールバックDCIである、請求項11から15のいずれか一項に記載の方法。
【請求項１７】
前記第1のCORESETが「0」というCORESET識別子と関連付けられている、請求項11から16のいずれか一項に記載の方法。
【請求項１８】
前記DCIがUEのグループと関連付けられており、前記DCIによってスケジュールされた前記データ伝送が、前記UEのグループ内のすべてのUEに同じ時間周波数リソースで割り振られたダウンリンクデータ伝送である、請求項11から17のいずれか一項に記載の方法。
【請求項１９】
デバイスであって、
プロセッサと、
前記プロセッサによって実行されると、前記デバイスに請求項11から18のいずれか一項に記載の方法を行わせるコンピュータ実行可能命令を格納しているコンピュータ可読媒体と
を含むデバイス。
【請求項２０】
プロセッサによって実行されると、デバイスに請求項1から9のいずれか一項に記載の方法を行わせるコンピュータ実行可能命令を格納しているコンピュータ可読媒体。
【請求項２１】
プロセッサによって実行されると、デバイスに請求項11から18のいずれか一項に記載の方法を行わせるコンピュータ実行可能命令を格納しているコンピュータ可読媒体。
【発明の詳細な説明】
【技術分野】
【０００１】
関連出願の相互参照
本出願は、2018年4月4日に出願された、「Method and Apparatus for Downlink Control Information Communication and Interpretation」という名称の米国仮特許出願第62/652,490号、および2018年12月11日に出願された、「METHOD AND APPARATUS FOR DOWNLINK CONTROL INFORMATION COMMUNICATION AND INTERPRETATION」という名称の米国非仮特許出願第16/216,191号の優先権の利益を主張するものであり、これらの出願の内容は参照により本明細書に組み込まれる。
【０００２】
本発明は、一般に、無線通信のためのシステムおよび方法に関し、特定の実施形態では、ダウンリンク制御情報（DCI）で割り振られた伝送リソースの位置を決定するためのシステムおよび方法に関する。
【背景技術】
【０００３】
エアインターフェースは、無線アクセスネットワークデバイス（例えば、基地局、NodeB、進化型NodeB、送信点）や電子デバイス（ED）（例えば、ユーザ機器（UE）、携帯電話、センサ、カメラ）などの2つ以上の通信デバイス間の無線通信リンクである。通常、伝送を正常に送受信するためには両方の通信デバイスがエアインターフェースの特定のパラメータを知っている必要がある。
【０００４】
通信デバイスを同じエアインターフェースパラメータで構成することにより、通信デバイスは、時間リソース、周波数リソース、または時間および周波数リソースなどの物理リソースを確実に識別、編成および使用することができるようになる。したがって、現在の無線通信システムでは、伝送は通常、エアインターフェースのための1つの事前定義された構成に従って通信される。
【０００５】
しかしながら、最新の無線ネットワークは、レイテンシ、スループット、同時接続などの異なる特性およびサービス品質（QoS）要件を有し得る、多様なトラフィックタイプの通信をサポートするためにますます使用されている。ゆえに、異なるトラフィックタイプの最新の無線ネットワークは、1つのサイズですべてに対応する式のエアインターフェース構成にはあまり適さない。
【０００６】
新無線（NR）などのセルラ通信では、EDにダウンリンクデータまたはアップリンクデータのスケジューリングなどの特定の物理層パラメータや他の構成パラメータに関する情報を提供するために、物理ダウンリンク制御チャネル（PDCCH）を介して無線アクセスネットワークデバイスからEDにダウンリンク制御情報（DCI）が伝送される。
【０００７】
EDは搬送波帯域幅内の1つまたは複数の帯域幅部分（BWP）で構成される。各BWPは、搬送波内のいくつかの連続したリソースブロック（RB）からなる。特定のシナリオでは、構成されたBWPのうちのただ1つが所与の瞬間にEDのためにアクティブである。他のシナリオでは、構成されたBWPのうちの複数がEDのために同時にアクティブである。
【０００８】
EDは、EDの構成されたBWPの各々のいくつかの制御リソースセット（CORESET）で構成され、各CORESETはPDCCHの可能な伝送のための物理的な時間リソースおよび周波数リソースのセットである。いくつかの探索空間が構成され、各CORESETに関連付けられる。CORESETと関連付けられた各探索空間はCORESET内のリソースのいくつかのサブセットに対応し、各サブセットはPDCCH候補に対応する。
【０００９】
EDは「ブラインド復号」として知られているプロセスを介してDCI内の情報を読み取る。物理的な時間伝送リソースおよび周波数伝送リソースにおける、DCIを含むPDCCHの位置は、EDにはあらかじめ知られない。したがって、EDは、探索空間内のPDCCH候補を復号しようと繰り返し試みることによって、物理的な時間リソースおよび周波数リソースの指定されたエリア（前述の探索空間内のリソースサブセット）においてPDCCHを「ブラインド」探索しなければならない。
【００１０】
PDCCH候補ごとに、EDはDCIを復号するために異なる復号パラメータを試すことが必要になり得る。例えば、DCIを異なるペイロードサイズで伝送することができる。所与のPDCCH候補について、異なるDCIペイロードサイズは異なる符号化／復号コードレートをもたらし得る。EDは、EDが正しいペイロードサイズを使用している場合にのみ、候補DCIを復号することができる。実際、EDは現実的には、時間および処理の制約条件により、ブラインド復号中にDCIペイロードサイズの無数の異なる組み合わせを試すことはできない。新無線（NR）などのセルラ通信では、例えば、EDは、ブラインド復号中に少数の（例えば1スロットあたり合計4つの）異なるDCIペイロードサイズを試すだけに制限され得る。
【００１１】
特定のシナリオでは、EDは、搬送波帯域幅のアクティブなBWPにおいて、そのペイロードサイズが搬送波帯域幅の別の帯域幅部分に基づくものであるDCIを復号しようと試みるように構成され得る。しかしながらこの場合、そのサイズが（サイズ1の）あるBWPに基づくものであるDCIフィールドが、（サイズ2の）別のBWPでデータをスケジュールするために解釈される必要があり、サイズ2≠サイズ1であるので、DCIの内容がEDには不明確であるかまたは誤って解釈される可能性がある。
【発明の概要】
【課題を解決するための手段】
【００１２】
ダウンリンク制御情報（DCI）で割り振られた伝送リソースの位置を決定するためのシステムおよび方法を説明する本開示の実施形態により技術的利点が一般に得られる。技術的利益の例には、UEのグループが同じDCI伝送で同じ物理ダウンリンク共有チャネル（PDSCH）または物理アップリンク共有チャネル（PUSCH）の位置にアクセスすることができる、共通のDCIおよび共通のデータのための効率的なリソース利用が含まれ得る。
【００１３】
本開示の一態様によれば、無線通信のための方法が提供される。本方法は、ユーザ機器（UE）により、アクティブなダウンリンク（DL）帯域幅部分（BWP）の物理ダウンリンク制御チャネル（PDCCH）でダウンリンク制御情報（DCI）を受信するステップであって、DCIがデータ伝送をスケジュールするためのものであり、DCIが周波数領域リソース割り振りフィールドを含む、ステップと、UEにより、少なくとも開始リソースブロック（RB）および連続して割り振られたRBの長さによって定義された時間周波数リソースでデータ伝送を受信するステップであって、開始RBが、DCI内の周波数領域リソース割り振りフィールドの値と、基準RBと、第1の制御リソースセット（CORESET）のRBの数とに基づくものであり、連続して割り振られたRBの長さが、DCI内の周波数領域リソース割り振りフィールドの値と、第1のCORESETのRBの数とに基づくものである、ステップとを含む。
【００１４】
いくつかの実施形態では、基準RBは、第2のCORESET内の最低番号の物理リソースブロック（PRB）であり、第2のCORESETは、DCIがUEによって復号されているCORESETである。
【００１５】
いくつかの実施形態では、本方法は、UEにより、DCIが非インターリーブVRB対PRBマッピングでのデータ伝送のためのフォールバックDCIであり、フォールバックDCIが共通探索空間で復号され、データ伝送では仮想RB nがPRB
【数１】
2021507651.tif 000003
にマップされ、PRB
【数２】
2021507651.tif 000004
が、フォールバックDCIがUEによって復号されているCORESET内の最低番号のPRBである、と判断するステップをさらに含む。
【００１６】
いくつかの実施形態では、アクティブなDL BWPは、仮想RBのバンドル対物理RBのインターリーブバンドルのインターリーブマッピングに基づくデータ伝送のためのRBの分配を含み、開始RBは仮想開始RBであり、連続して割り振られたRBの長さは連続して割り振られた仮想RBの長さであり、仮想開始RBは連続して割り振られた仮想RBの長さの開始を定義する。
【００１７】
いくつかの実施形態では、データ伝送を受信するステップは、データ伝送を、物理RBのインターリーブバンドルによって定義された時間周波数リソースで受信するステップであって、物理RBのインターリーブバンドルが、仮想開始RBと、連続して割り振られた仮想RBの長さと、インターリーブマッピングと、物理RBの基準バンドルとに基づくものである、ステップを含む。
【００１８】
いくつかの実施形態では、物理RBの基準バンドルは、第2のCORESET内の最低番号の物理リソースブロック（PRB）を含む物理RBのバンドルであり、第2のCORESETは、DCIがUEによって復号されているCORESETである。
【００１９】
いくつかの実施形態では、DCIはフォールバックDCIである。
【００２０】
いくつかの実施形態では、第1のCORESETは「0」というCORESET識別子と関連付けられている。
【００２１】
いくつかの実施形態では、DCIはUEのグループと関連付けられており、DCIによってスケジュールされたデータ伝送は、UEのグループ内のすべてのUEに同じ時間周波数リソースで割り振られたダウンリンクデータ伝送である。
【００２２】
本開示の別の態様によれば、プロセッサと、コンピュータ実行可能命令を格納しているコンピュータ可読媒体とを含むユーザ機器（UE）が提供される。命令がプロセッサによって実行されると、命令は、UEに、アクティブなダウンリンク（DL）帯域幅部分（BWP）の物理ダウンリンク制御チャネル（PDCCH）でダウンリンク制御情報（DCI）を受信させ、DCIはデータ伝送をスケジュールするためのものであり、DCIは周波数領域リソース割り振りフィールドを含み、UEに、少なくとも開始リソースブロック（RB）および連続して割り振られたRBの長さによって定義された時間周波数リソースでデータ伝送を受信させ、開始RBは、DCI内の周波数領域リソース割り振りフィールドの値と、基準RBと、第1の制御リソースセット（CORESET）のRBの数とに基づくものであり、連続して割り振られたRBの長さは、DCI内の周波数領域リソース割り振りフィールドの値と、第1のCORESETのRBの数とに基づくものである。
【００２３】
いくつかの実施形態では、基準RBは、第2のCORESET内の最低番号の物理リソースブロック（PRB）であり、第2のCORESETは、DCIがUEによって復号されているCORESETである。
【００２４】
いくつかの実施形態では、コンピュータ実行可能命令は、プロセッサによって実行されると、UEに、さらに、DCIが非インターリーブVRB対PRBマッピングでのデータ伝送のためのフォールバックDCIであり、フォールバックDCIが共通探索空間で復号され、データ伝送では仮想RB nがPRB
【数３】
2021507651.tif 000005
にマップされる、と判断させ、PRB
【数４】
2021507651.tif 000006
は、フォールバックDCIがUEによって復号されているCORESET内の最低番号のPRBである。
【００２５】
いくつかの実施形態では、アクティブなDL BWPは、仮想RBのバンドル対物理RBのインターリーブバンドルのインターリーブマッピングに基づくデータ伝送のためのRBの分配を含み、開始RBは仮想開始RBであり、連続して割り振られたRBの長さは連続して割り振られた仮想RBの長さであり、仮想開始RBは連続して割り振られた仮想RBの長さの開始を定義する。
【００２６】
いくつかの実施形態では、UEにデータ伝送を受信させるコンピュータ実行可能命令は、UEに、伝送を、物理RBのインターリーブバンドルによって定義された時間周波数リソースで受信させ、物理RBのインターリーブバンドルは、仮想開始RBと、連続して割り振られた仮想RBの長さと、インターリーブマッピングと、物理RBの基準バンドルとに基づくものである。
【００２７】
いくつかの実施形態では、物理RBの基準バンドルは、第2のCORESET内の最低番号の物理リソースブロック（PRB）を含む物理RBのバンドルであり、第2のCORESETは、DCIがUEによって復号されているCORESETである。
【００２８】
いくつかの実施形態では、DCIはフォールバックDCIである。
【００２９】
いくつかの実施形態では、第1のCORESETは「0」というCORESET識別子と関連付けられている。
【００３０】
いくつかの実施形態では、DCIはUEのグループと関連付けられており、DCIによってスケジュールされたデータ伝送は、UEのグループ内のすべてのUEに同じ時間周波数リソースで割り振られたダウンリンクデータ伝送である。
【００３１】
本開示の別の態様によれば、無線通信のための方法が提供される。本方法は、基地局により、アクティブなダウンリンク（DL）帯域幅部分（BWP）の物理ダウンリンク制御チャネル（PDCCH）でダウンリンク制御情報（DCI）を送信するステップであって、DCIがデータ伝送をスケジュールするためのものであり、DCIが周波数領域リソース割り振りフィールドを含む、ステップと、基地局により、ユーザ機器（UE）に、少なくとも開始リソースブロック（RB）および連続して割り振られたRBの長さによって定義された時間周波数リソースでデータ伝送を送信するステップであって、開始RBが、DCI内の周波数領域リソース割り振りフィールドの値と、基準RBと、第1の制御リソースセット（CORESET）のRBの数とに基づくものであり、連続して割り振られたRBの長さが、DCI内の周波数領域リソース割り振りフィールドの値と、第1のCORESETのRBの数とに基づくものである、ステップとを含む。
【００３２】
いくつかの実施形態では、基準RBは、第2のCORESET内の最低番号の物理リソースブロック（PRB）であり、第2のCORESETは、DCIがUEによって復号されているCORESETである。
【００３３】
いくつかの実施形態では、アクティブなDL BWPは、仮想RBのバンドル対物理RBのインターリーブバンドルのインターリーブマッピングに基づくデータ伝送のためのRBの分配を含み、開始RBは仮想開始RBであり、連続して割り振られたRBの長さは連続して割り振られた仮想RBの長さであり、仮想開始RBは連続して割り振られた仮想RBの長さの開始を定義する。
【００３４】
いくつかの実施形態では、データ伝送を送信するステップは、データ伝送を、物理RBのインターリーブバンドルによって定義された時間周波数リソースで送信するステップであって、物理RBのインターリーブバンドルが、仮想開始RBと、連続して割り振られた仮想RBの長さと、インターリーブマッピングと、物理RBの基準バンドルとに基づくものである、ステップを含む。
【００３５】
いくつかの実施形態では、物理RBの基準バンドルは、第2のCORESET内の最低番号の物理リソースブロック（PRB）を含む物理RBのバンドルであり、第2のCORESETは、DCIがUEによって復号されているCORESETである。
【００３６】
いくつかの実施形態では、DCIはフォールバックDCIである。
【００３７】
いくつかの実施形態では、第1のCORESETは「0」というCORESET識別子と関連付けられている。
【００３８】
いくつかの実施形態では、DCIはUEのグループと関連付けられており、DCIによってスケジュールされたデータ伝送は、UEのグループ内のすべてのUEに同じ時間周波数リソースで割り振られたダウンリンクデータ伝送である。
【００３９】
本開示のまた別の態様によれば、プロセッサと、コンピュータ実行可能命令を格納しているコンピュータ可読媒体とを含むデバイスが提供される。命令がプロセッサによって実行されると、命令はデバイスに、アクティブなダウンリンク（DL）帯域幅部分（BWP）の物理ダウンリンク制御チャネル（PDCCH）でダウンリンク制御情報（DCI）を送信させ、DCIはデータ伝送をスケジュールするためのものであり、DCIが周波数領域リソース割り振りフィールドを含み、少なくとも開始リソースブロック（RB）および連続して割り振られたRBの長さによって定義された時間周波数リソースでデータ伝送をユーザ機器（UE）に送信させ、開始RBは、DCI内の周波数領域リソース割り振りフィールドの値と、基準RBと、第1の制御リソースセット（CORESET）のRBの数とに基づくものであり、連続して割り振られたRBの長さは、DCI内の周波数領域リソース割り振りフィールドの値と、第1のCORESETのRBの数とに基づくものである。
【００４０】
いくつかの実施形態では、基準RBは、第2のCORESET内の最低番号の物理リソースブロック（PRB）であり、第2のCORESETは、DCIがUEによって復号されているCORESETである。
【００４１】
いくつかの実施形態では、アクティブなDL BWPは、仮想RBのバンドル対物理RBのインターリーブバンドルのインターリーブマッピングに基づくデータ伝送のためのRBの分配を含み、開始RBは仮想開始RBであり、連続して割り振られたRBの長さは連続して割り振られた仮想RBの長さであり、仮想開始RBは連続して割り振られた仮想RBの長さの開始を定義する。
【００４２】
いくつかの実施形態では、データ伝送を送信するステップは、データ伝送を、物理RBのインターリーブバンドルによって定義された時間周波数リソースで送信するステップであって、物理RBのインターリーブバンドルが、仮想開始RBと、連続して割り振られた仮想RBの長さと、インターリーブマッピングと、物理RBの基準バンドルとに基づくものである、ステップを含む。
【００４３】
いくつかの実施形態では、物理RBの基準バンドルは、第2のCORESET内の最低番号の物理リソースブロック（PRB）を含む物理RBのバンドルであり、第2のCORESETは、DCIがUEによって復号されているCORESETである。
【００４４】
いくつかの実施形態では、DCIはフォールバックDCIである。
【００４５】
いくつかの実施形態では、第1のCORESETは「0」というCORESET識別子と関連付けられている。
【００４６】
いくつかの実施形態では、DCIはUEのグループと関連付けられており、DCIによってスケジュールされたデータ伝送は、UEのグループ内のすべてのUEに同じ時間周波数リソースで割り振られたダウンリンクデータ伝送である。
【００４７】
本発明、および本発明の利点のより完全な理解のために、次に、添付の図面と併せて以下の説明を参照する。
【図面の簡単な説明】
【００４８】
【図１】通信システムのネットワーク図である。
【図２】ソフトウェア構成可能エアインターフェースを構成するためのエアインターフェースマネージャのブロック図である。
【図３Ａ】例示的なクライアント側電子デバイスのブロック図である。
【図３Ｂ】例示的なネットワーク側電子デバイスのブロック図である。
【図４Ａ】特定のタイプの伝送のためにスケジュールされた仮想リソースブロック（VRB）のサブセットを含むVRBのセットの一例を示す図である。
【図４Ｂ】図4AのVRBのサブセットを含むVRBのセットの物理リソースブロック（PRB）のセット上へのインターリーブマッピングの一例を示す図である。
【図５】異なるアクティブな帯域幅部分（BWP）を有する3つの異なるユーザ機器（UE）のための、VRBのサブセットを含むVRBのセットのPRBのセット上への非インターリーブマッピングの一例を示す図である。
【図６】異なるアクティブなBWPおよびVRBと異なるサブキャリア間隔構成を有する3つの異なるUEのための、VRBのサブセットを含むVRBのセットのPRBのセット上への非インターリーブマッピングの一例を示す図である。
【図７】異なるアクティブなBWPを有する3つの異なるUEのための、VRBのサブセットを含むVRBのセットのPRBのセット上へのインターリーブマッピングの一例を示す図である。
【図８】異なるアクティブなBWPおよびVRBと異なるサブキャリア間隔構成を有する3つの異なるUEのための、VRBのサブセットを含むVRBのセットのPRBのセット上へのインターリーブマッピングの一例を示す図である。
【図９】ダウンリンク制御情報（DCI）において割り振られた伝送リソースの位置を特定する際にUEが使用するための方法を記述する流れ図である。
【図１０】伝送リソースを割り振る際にネットワーク側デバイスが使用するための方法を記述する流れ図である。
【図１１】ダウンリンク制御情報（DCI）において割り振られた伝送リソースの位置を特定する際にUEが使用するための別の方法を記述する流れ図である。
【図１２】伝送リソースを割り振る際にネットワーク側デバイスが使用するための別の方法を記述する流れ図である。
【発明を実施するための形態】
【００４９】
異なる図における対応する番号および記号は特に指示されない限りおおむね対応する部分を指している。各図は各実施形態の関連する局面を明確に例示するように描かれており、必ずしも縮尺どおりに描かれているとは限らない。
【００５０】
目下の好ましい実施形態の構造、製造および使用を以下で詳細に論じる。しかし、本発明は、多種多様な個別の状況において具体化できる多くの適用可能な発明概念を提供するものであることを理解されたい。論じられる特定の実施形態は、単に、本発明を製作および使用する特定のやり方を例示するにすぎず、本発明の範囲を限定するものではない。
【００５１】
図1に、本開示の実施形態が実施され得る例示的な通信システム100を示す。一般に、通信システム100は、複数の無線要素または有線要素がデータその他のコンテンツを通信することを可能にする。通信システム100の目的は、ブロードキャスト、ナローキャスト、ユーザ機器対ユーザ機器などを介してコンテンツ（音声、データ、ビデオ、テキスト）を提供することであり得る。通信システム100は、帯域幅などのリソースを共有することによって動作し得る。
【００５２】
この例では、通信システム100は、電子デバイス（ED）110a〜110cと、無線アクセスネットワーク（RAN）120a〜120bと、コアネットワーク130と、公衆交換電話網（PSTN）140と、インターネット150と、その他のネットワーク160とを含む。図1には特定の数のこれらの構成要素または要素が示されているが、通信システム100には任意の妥当な数のこれらの構成要素または要素が含まれ得る。
【００５３】
ED110a〜110cは、通信システム100において動作、通信、またはその両方を行うように構成される。例えば、ED110a〜110cは、無線通信チャネルまたは有線通信チャネルを介して送信、受信、またはその両方を行うように構成される。各ED110a〜110cは、無線動作のための任意の適切なエンドユーザデバイスを表し、ユーザ機器／デバイス（UE）、無線送信／受信ユニット（WTRU）、移動局、固定式もしくは移動式加入者ユニット、携帯電話、局（STA）、マシンタイプ通信（MTC）デバイス、パーソナルデジタルアシスタント（PDA）、スマートフォン、ラップトップ、コンピュータ、タブレット、無線センサ、または電子デバイスなどのデバイスを含み得る（またはそのように呼ばれ得る）。
【００５４】
図1では、RAN120a〜120bは、それぞれ、基地局170a〜170bを含む。各基地局170a〜170bは、任意の他の基地局170a〜170b、コアネットワーク130、PSTN140、インターネット150、および／またはその他のネットワーク160へのアクセスを可能にするためにED110a〜110cのうちの1つまたは複数と無線でインターフェースするように構成される。例えば、基地局170a〜170bは、無線基地局（BTS）、ノードB（NodeB）、進化型NodeB（eNodeB）、ホームeNodeB、gNodeB、送信点（TP）、サイトコントローラ、アクセスポイント（AP）、または無線ルータなどの、いくつかの周知のデバイスのうちの1つまたは複数を含み得る（かまたはそれらであり得る）。代替としてまたはこれに加えて、任意のED110a〜110cが、任意の他の基地局170a〜170b、インターネット150、コアネットワーク130、PSTN140、その他のネットワーク160、またはこれらの任意の組み合わせとインターフェースし、これらにアクセスし、またはこれらと通信するように構成されてもよい。通信システム100は、図示のように、対応する基地局170bがインターネット150を介してコアネットワーク130にアクセスする、RAN120bなどのRANを含み得る。
【００５５】
ED110a〜110cおよび基地局170a〜170bは、本明細書に記載される機能および／または実施形態の一部または全部を実施するように構成できる通信機器の例である。図1に示される実施形態では、基地局170aはRAN120aの一部を形成し、RAN120aは、他の基地局、（1つまたは複数の）基地局コントローラ（BSC）、（1つまたは複数の）無線ネットワークコントローラ（RNC）、中継ノード、要素、および／またはデバイスを含み得る。任意の基地局170a、170bは、図示のように、単一の要素であるか、または複数の要素であるか、対応するRANにおいて分散されているか、またはそれ以外であり得る。また基地局170bもRAN120bの一部を形成し、RAN120bは、他の基地局、要素、および／またはデバイスを含み得る。各基地局170a〜170bは、「セル」または「カバレッジエリア」と呼ばれることもある特定の地理的領域またはエリア内で無線信号を送信および／または受信する。セルはセルセクタにさらに分割されてもよく、基地局170a〜170bは、例えば、複数の送受信機を用いて複数のセクタにサービスを提供し得る。いくつかの実施形態では、無線アクセス技術がそれらをサポートする場合には、ピコセルまたはフェムトセルが確立され得る。いくつかの実施形態では、例えば、多入力多出力（MIMO）技術を使用して、セルごとに複数の送受信機を使用することもできる。図示のRAN120a〜120bの数は例示にすぎない。通信システム100を考案するときには任意の数のRANが企図され得る。
【００５６】
基地局170a〜170bは、例えば、無線周波数（RF）、マイクロ波、赤外線（IR）などの無線通信リンクを使用して1つまたは複数のエアインターフェース190上でED110a〜110cのうちの1つまたは複数と通信する。エアインターフェース190は、任意の適切な無線アクセス技術を利用し得る。例えば、通信システム100は、エアインターフェース190において符号分割多元接続（CDMA）、時分割多元接続（TDMA）、周波数分割多元接続（FDMA）、直交FDMA（OFDMA）、またはシングルキャリアFDMA（SC-FDMA）などの1つまたは複数のチャネルアクセス方法を実施し得る。
【００５７】
基地局170a〜170bは、広帯域CDMA（WCDMA（登録商標））を使用してエアインターフェース190を確立するためにユニバーサル・モバイル・テレコミュニケーション・システム（UMTS）地上無線アクセス（UTRA）を実施し得る。そうする際に、基地局170a〜170bは、高速パケットアクセス（HSPA）、任意選択で高速ダウンリンクパケットアクセス（HSDPA）を含む進化型HPSA（HSPA+）、高速アップリンクパケットアクセス（HSUPA）、またはその両方などのプロトコルを実施し得る。あるいは、基地局170a〜170bは、ロングタームエボリューション（LTE）、LTE-A、および／またはLTE-Bを使用して進化型UTMS地上無線アクセス（E-UTRA）とのエアインターフェース190を確立してもよい。通信システム100は、上述のような方式を含む、複数のチャネルアクセス機能を使用し得ることが企図されている。エアインターフェースを実施するための他の無線技術には、IEEE 802.11、IEEE 802.15、IEEE 802.16、CDMA2000、CDMA2000 1X、CDMA2000 EV-DO、IS-2000、IS-95、IS-856、GSM（登録商標）、EDGE、およびGERANが含まれる。当然ながら、他の多元接続方式および無線プロトコルが利用されてもよい。
【００５８】
RAN120a〜120bは、ED110a〜110cに音声、データ、その他のサービスなどの様々なサービスを提供するためにコアネットワーク130と通信している。RAN120a〜120bおよび／またはコアネットワーク130は、1つまたは複数の他のRAN（図示されていない）と直接または間接的に通信することができ、1つまたは複数の他のRANは、コアネットワーク130によって直接サービスされる場合もそうでない場合もあり、RAN120a、RAN120b、またはその両方と同じ無線アクセス技術を用いる場合もそうでない場合もある。コアネットワーク130は、（i）RAN120a〜120bまたはED110a〜110cまたはその両方と、（ii）その他のネットワーク（PSTN140、インターネット150、およびその他のネットワーク160など）との間のゲートウェイアクセスとしても機能し得る。加えて、ED110a〜110cの一部または全部が、異なる無線技術および／またはプロトコルを使用して異なる無線リンク上で異なる無線ネットワークと通信するための機能を含んでいてもよい。無線通信の代わりに（または無線通信に加えて）、各EDは有線通信チャネルを介してサービスプロバイダまたはスイッチ（図示されていない）、およびインターネット150と通信してもよい。PSTN140は、旧来の音声通話サービス（POTS）を提供するための回線交換電話網を含み得る。インターネット150は、コンピュータおよびサブネットまたはその両方のネットワークを含み、インターネットプロトコル（IP）、伝送制御プロトコル（TCP）、ユーザデータグラムプロトコル（UDP）などのプロトコルを組み込み得る。ED110a〜110cは、複数の無線アクセス技術に従って動作することができるマルチモードデバイスであってもよく、それらをサポートするのに必要な複数の送受信機を組み込み得る。
【００５９】
本発明の実施形態では、通信システム100は、異なる送信元タイプおよび／または異なる送信先タイプを有する異種通信システムである。異なる送信元タイプは異なる送信能力を有し得る。異なる送信先タイプは異なる受信能力を有し得る。
【００６０】
異種通信システムでは、図1のED110a〜110cは、異なる能力および要件を有する異なるタイプのデバイスを含む。より具体的には、各ED110a〜110cは、サービス品質（QoS）、レイテンシ、スループット、同時接続などの特定の要件を有する異なるトラフィックタイプと関連付けられ得る。異なるトラフィックタイプと関連付けられたED110a〜110cの例には、スマートフォン、コンピュータ、テレビ、防犯カメラ、センサ、サーモスタット、心拍数モニタなどが含まれ得る。特定の例では、ED110aはコンピュータであり、ED110bはセンサであり、ED110cは心拍数モニタである。ED110a〜110cの各々が異なる無線通信能力および要件を有し得る。
【００６１】
さらに、異種通信システムでは、基地局170a〜170bは、無線通信リンクを使用して1つまたは複数のソフトウェア構成可能エアインターフェース190上でED110a〜110cのうちの1つまたは複数と通信し得る。異なる無線アクセスネットワークデバイス（基地局170a〜170bなど）および電子デバイス（ED110a〜110cなど）は異なる送信能力および／または要件を有し得る。一例として、eNBは複数の送信アンテナを有し得る。ピコセルは1つの送信アンテナまたは比較的少数の送信アンテナのみを含み得る。加えて、ピコセルは、eNBと比較して低い最大出力レベルで送信し得る。同様に、コンピュータはセンサよりもずっと高いデータ帯域幅要件および信号処理能力を有し得る。別の例では、心拍数モニタはテレビよりもずっと厳しいレイテンシおよび信頼性要件を有し得る。
【００６２】
したがって、異種通信システム100などの異種通信システムでは、様々な通信デバイスの対（すなわち、ネットワークデバイスと電子デバイス、またはネットワークデバイスと別のネットワークデバイス、または電子デバイスと別の電子デバイス）が、異なる送信能力および／または伝送要件を有し得る。それらの異なる送信能力および／または伝送要件を、異なるデバイス、通信、または要件に異なるエアインターフェース構成を選択できることによって満たすことができる。
【００６３】
図2に、ソフトウェア構成可能エアインターフェース190を構成するためのエアインターフェースマネージャ200の概略図を示す。エアインターフェースマネージャ200は、例えば、エアインターフェース190のパラメータを定義し、伝送がエアインターフェース190によってどのようにして行われ、かつ／または受信されるべきかを一括して指定するいくつかの構成要素またはビルディングブロックを含むモジュールであり得る。
【００６４】
エアインターフェースマンガ200は、波形構成要素205、フレーム構造構成要素210、多元接続方式構成要素215、プロトコル構成要素220、ならびに符号化および変調構成要素225のうちの少なくとも1つを含む。
【００６５】
波形構成要素205は、伝送される信号の形状および形態を指定し得る。波形オプションには、直交多元接続波形および非直交多元接続波形が含まれ得る。そのような波形オプションの非限定的な例には、直交周波数分割多重（OFDM）、フィルタリングされたOFDM（f-OFDM）、時間窓OFDM、フィルタバンクマルチキャリア（FBMC）、ユニバーサルフィルタードマルチキャリア（UFMC）、一般化された周波数分割多重（GFDM）、ウェーブレットパケット変調（WPM）、Faster-Than-Nyquist（FTN）波形、および低ピーク対平均電力比波形（低PAPR WF）が含まれる。
【００６６】
フレーム構造構成要素210は、フレームまたはフレームグループの構成を指定し得る。フレーム構造構成要素210は、フレームまたはフレームグループの時間、周波数、パイロットシグネチャ、コード、またはその他のパラメータのうちの1つまたは複数を指示し得る。
【００６７】
フレーム構造オプションの非限定的な例には、タイムスロット内のシンボルの数、フレームまたは各タイムスロットの期間（伝送時間間隔、TTI、または伝送時間単位、TTUとしても知られている）内のタイムスロットの数、が含まれる。フレーム構造構成要素はまた、タイムスロットが構成可能な複数レベルのTTIか、固定されたTTIか、それとも構成可能な単一レベルのTTIかも指定し得る。フレーム構造構成要素は、異なるフレーム構造構成のための共存機構をさらに指定し得る。
【００６８】
特定のOFDMベースの波形などのいくつかの波形では、フレーム構造構成要素はまた、サブキャリア間隔幅、シンボル期間、サイクリックプレフィックス（CP）長、チャネル帯域幅、保護帯域／サブキャリア、サンプリングサイズおよび周波数などの、1つまたは複数の関連付けられた波形パラメータも指定し得る。
【００６９】
加えて、フレーム構造構成要素210は、フレーム構造が使用されるのが時分割複信通信かそれとも周波数分割複信通信かをさらに指定し得る。
【００７０】
波形構成要素およびフレーム構造構成要素の仕様は、併せて、「ヌメロロジー」としても知られている。よって、エアインターフェース190は、サブキャリア間隔、CP長、シンボル長、スロット長、1スロットあたりのシンボル数などのエアインターフェース構成パラメータの数を定義するヌメロロジー構成要素230を含み得る。
【００７１】
これらのヌメロロジーは、サブキャリア間隔構成としても知られており、異なるヌメロロジーのサブキャリア間隔が互いの倍数であり、異なるヌメロロジーのタイムスロット長もまた互いの倍数であるという意味でスケーラブルであり得る。そのような複数のヌメロロジーにわたるスケーラブルな設計により、実装上の利益、例えば、時分割複信（TDD）のコンテキストにおけるスケーラブルな合計OFDMシンボル期間が提供される。
【００７２】
1つのスケーラブルなヌメロロジーまたはそれらの組み合わせを使用してフレームを構成することができる。例えば、60kHzのサブキャリア間隔を有するヌメロロジーは（OFDMシンボル期間がサブキャリア間隔と反比例するので）比較的短いOFDMシンボル期間を有し、このため60kHzのヌメロロジーが対車両（V2X）通信などの超低遅延通信に特に適することになる。低遅延通信に適する比較的短いOFDMシンボル期間を有するヌメロロジーの別の例が、30kHzのサブキャリア間隔を有するヌメロロジーである。15kHzのサブキャリア間隔を有するヌメロロジーは、LTEに適合し得るかまたはデバイス対ネットワークの初期アクセスのためのデフォルトのヌメロロジーとして機能し得る。この15kHzのヌメロロジーはまた、ブロードバンドサービスにも適し得る。7.5kHz間隔を有するヌメロロジーは、比較的長いOFDMシンボル期間を有し、カバレッジ強化およびブロードキャストに特に役立ち得る。当業者にはこれらのヌメロロジーのその他の使用が明らかであるか、または明らかになるであろう。上記の4つのヌメロロジーのうち、30kHzのサブキャリア間隔と60kHzのサブキャリア間隔を有するものは、サブキャリア間隔が広いので、ドップラー拡散（高速移動状態）に対してよりロバストである。異なるヌメロロジーが、同じサブキャリア間隔と異なるサイクリックプレフィックス長など、他の物理層パラメータの異なる値を使用し得ることがさらに企図されている。
【００７３】
より大きいサブキャリア間隔やより小さいサブキャリア間隔など、他のサブキャリア間隔が使用され得ることがさらに企図されている。例えば、2nの倍数で変動する他のサブキャリア間隔には120kHzおよび3.75kHzが含まれる。
【００７４】
他の例では、必ずしも2nの倍数で関連するのではなく、2つ以上のヌメロロジーがすべて、最小のサブキャリア間隔の整数倍であるサブキャリア間隔を有する、より制限されたスケーラビリティが実施され得る。例には、15kHz、30kHz、45kHz、60kHzのサブキャリア間隔が含まれる。
【００７５】
さらに別の例では、すべてが最小のサブキャリア間隔の整数倍であるとは限らない、15kHz、20kHz、30kHz、60kHzなどの、非スケーラブルサブキャリア間隔が使用され得る。
【００７６】
OFDMベースの信号を用いて、複数のヌメロロジーが同時に共存する信号を送信することができる。より具体的には、各々が異なるサブバンド内にあり、各サブバンドが異なるサブキャリア間隔を有する（より一般的には異なるヌメロロジーを用いて）複数のサブバンドOFDM信号を並行して生成することができる。複数のサブバンド信号は伝送のために、例えばダウンリンク伝送のために単一の信号に結合される。あるいは、複数のサブバンド信号は、別々の送信機から、例えば、ユーザ機器（UE）であり得る複数の電子デバイス（ED）からアップリンク伝送のために送信され得る。
【００７７】
異なるヌメロロジーの使用により、エアインターフェース190が、異なるレベルのレイテンシや信頼度許容差、ならびに異なる帯域幅やシグナリングオーバーヘッド要件など、広範囲のサービス品質（QoS）要件を有する多様な使用事例のセットの共存をサポートすることが可能になる。一例では、基地局はEDに、選択されたヌメロロジーを表すインデックス、または選択されたヌメロロジーの単一のパラメータ（例えばサブキャリア間隔）をシグナリングすることができる。このシグナリングに基づき、EDは、メモリに格納された候補ヌメロロジーのルックアップテーブルなどの他の情報から、選択されたヌメロロジーのパラメータを決定し得る。
【００７８】
引き続きエアインターフェース190の構成要素について、多元接続方式構成要素215は、チャネルへのアクセスが1つまたは複数のEDにどのように許諾されるかを指定し得る。多元接続技術オプションの非限定的な例には、時分割多元接続（TDMA）、周波数分割多元接続（FDMA）、符号分割多元接続（CDMA）、シングルキャリア周波数分割多元接続（SC-FDMA）、低密度シグネチャマルチキャリア符号分割多元接続（LDS-MC-CDMA）、非直交多元接続（NOMA）、パターン分割多元接続（PDMA）、格子分割多元接続（LPMA）、リソース拡散多元接続（RSMA）、スパース符号多元接続（SCMA）などの、EDがどのようにして共通物理チャネルを共有するかを定義する技術が含まれる。さらに、多元接続技術オプションには、スケジュールされたアクセス、グラントフリーアクセスとしても知られているスケジュールされないアクセス、非直交多元接続、例えば、専用チャネルリソースを介した（すなわち、複数のED間の共有なしの）直交多元接続、競合ベースの共有チャネルリソース、非競合ベースの共有チャネルリソース、およびコグニティブ無線ベースのアクセスが含まれ得る。
【００７９】
プロトコル構成要素220は、送信および／または再送がどのようにして行われるかを指定し得る。送信および／または再送機構オプションの非限定的な例には、スケジュールされたデータパイプサイズ、送信のためのシグナリング機構および／または再送のためのシグナリング機構を指定するものが含まれる。
【００８０】
符号化および変調構成要素225は、伝送される情報が送信／受信目的でどのように符号化／復号および変調／復調され得るかを指定し得る。符号化とは、誤り検出および前方誤り訂正の方法を指し得る。符号化オプションの非限定的な例には、ターボトレリス符号、ターボ積符号、噴水符号、低密度パリティ検査符号、およびポーラ符号が含まれる。変調とは、単に、コンステレーション（例えば、変調技術および次数を含む）と、より具体的には、様々なタイプの高度な変調法、例えば、階層変調や低PAPR変調を指し得る。
【００８１】
エアインターフェースは複数の構成要素またはビルディングブロックを含み、各構成要素は複数の候補技術（本明細書ではエアインターフェース能力オプションとも呼ばれる）を有し得るので、エアインターフェースマネージャ200は、各エアインターフェースプロファイルがそれぞれのエアインターフェース能力オプションセットを定義する、多数の異なるエアインターフェースプロファイルを構成および格納し得る。
【００８２】
例えば、それぞれのエアインターフェース能力オプションセットを定義する各エアインターフェースプロファイルにおいて、エアインターフェースの構成ビルディングブロックの各々にエアインターフェース能力オプションが選択される。異なるエアインターフェースプロファイルの各々が、伝送内容、送信条件、および受信条件を含む、異なる伝送要件のセットを満たすことを目標とされ得る。
【００８３】
1対の通信する送信・受信デバイスの伝送要件に従って、伝送要件を最もよく満たす異なるエアインターフェースプロファイルのうちの1つがエアインターフェースマネージャ200から選択され、その1対の通信する送信・受信デバイス間の通信に使用され得る。
【００８４】
別の実施形態では、エアインターフェースマネージャ200は、その構成要素、プロファイル、または能力オプションを変更または更新し得る。例えば、エアインターフェースマネージャ200は、波形構成要素205およびフレーム構造構成要素210を単一のヌメロロジー構成要素230で置換し得る。逆に、エアインターフェースマネージャ200は、符号化および変調構成要素225を個別の符号化構成要素と個別の変調構成要素とに分離してもよい。さらに、エアインターフェースマネージャ200は、将来に決定されるべき新しいソフトエアインターフェース構成要素を追加してもよい。
【００８５】
エアインターフェースマネージャ200はまた、任意の所与の構成要素の能力オプションを変更するために特定の構成要素を更新してもよい。例えば、エアインターフェースマネージャ200は、変調および符号化構成要素225を、より高次の変調方式を含むように更新し得る。
【００８６】
格納された構成要素、プロファイル、および候補オプションを更新することにより、エアインターフェースマネージャ200は、多様な無線トラフィックタイプおよびサービスにより適切に対応するように柔軟に適応することができる。構成要素、プロファイル、および候補オプションを変更または更新することにより、エアインターフェースマネージャ200が、超高信頼低遅延通信（URLLC）、高度モバイルブロードバンド（eMBB）、および大量マシンタイプ通信（mMTC）にすでに企図されているもの以外のトラフィックタイプまたはサービスに適したエアインターフェースプロファイルを提供することが可能になり得る。
【００８７】
図3Aおよび図3Bに、本開示による方法および教示を実施し得る例示的なデバイスを示す。特に、図3Aに例示的なED110を示し、図3Bに例示的な基地局170を示す。これらの構成要素を通信システム100で、または任意の他の適切なシステムで使用することができる。
【００８８】
図3Aに示されるように、ED110は、少なくとも1つの処理装置300を含む。処理装置300は、ED110の様々な処理動作を実施する。例えば、処理装置300は、信号符号化、データ処理、電力制御、入力／出力処理、またはED110が通信システム100において動作することを可能にする任意の他の機能を実行することができる。また処理装置300は、上記で詳述されている機能および／または実施形態の一部または全部を実施するようにも構成され得る。各処理装置300は、1つまたは複数の動作を行うように構成された任意の適切な処理または計算デバイスを含む。各処理装置300は、例えば、マイクロプロセッサ、マイクロコントローラ、デジタル信号プロセッサ、フィールドプログラマブルゲートアレイ、または特定用途向け集積回路を含むことができる。
【００８９】
ED110は、少なくとも1つの送受信機302も含む。送受信機302は、少なくとも1つのアンテナ304またはネットワークインターフェースコントローラ（NIC）による送信のためにデータまたは他のコンテンツを変調するように構成される。送受信機302は、少なくとも1つのアンテナ304によって受信されたデータまたは他のコンテンツを復調するようにも構成される。各送受信機302は、無線送信もしくは有線送信のための信号を生成し、かつ／または無線もしくは有線で受信された信号を処理するための任意の適切な構造を含む。各アンテナ304は、無線信号または有線信号を送信および／または受信するための任意の適切な構造を含む。ED110では1つまたは複数の送受信機302を使用することができる。ED110では1つまたは複数のアンテナ304を使用することができる。単一の機能ユニットとして図示されているが、送受信機302を、少なくとも1つの送信機と少なくとも1つの別個の受信機とを使用して実施することもできる。
【００９０】
ED110は、1つまたは複数の入力／出力デバイス306またはインターフェース（インターネット150への有線インターフェースなど）をさらに含む。入力／出力デバイス306は、ユーザまたはネットワーク内の他のデバイスとのインタラクションを可能にする。各入力／出力デバイス306は、ネットワークインターフェース通信を含む、スピーカ、マイクロフォン、キーパッド、キーボード、ディスプレイ、またはタッチスクリーンなどの、ユーザに情報を提供し、またはユーザから情報を受け取るための任意の適切な構造を含む。
【００９１】
加えて、ED110は、少なくとも1つのメモリ308を含む。メモリ308は、ED110によって使用、生成、または収集される命令およびデータを格納する。例えば、メモリ308は、上述の機能および／または実施形態の一部または全部を実施するように構成された、（複数の）処理装置300によって実行されるソフトウェア命令またはモジュールを格納することができる。各メモリ308は、（複数の）任意の適切な揮発性および／または不揮発性の記憶および検索デバイスを含む。ランダムアクセスメモリ（RAM）、読取り専用メモリ（ROM）、ハードディスク、光ディスク、加入者識別モジュール（SIM）カード、メモリスティック、セキュアデジタル（SD）メモリカードなどといった、任意の適切な種類のメモリが使用され得る。
【００９２】
図3Bに示されるように、基地局170は、少なくとも1つの処理装置350と、少なくとも1つの送信機（TX）352と、少なくとも1つの受信機（RX）354と、1つまたは複数のアンテナ356と、少なくとも1つのメモリ358と、1つまたは複数の入力／出力デバイスまたはインターフェース366とを含む。図示されていない送受信機が、送信機352および受信機354の代わりに使用されてもよい。処理装置350にはスケジューラ353が結合され得る。スケジューラ353は、基地局170内に含まれ得るかまたは基地局170とは別個に動作し得る。処理装置350は、信号符号化、データ処理、電力制御、入力／出力処理、または任意の他の機能などの、基地局170の様々な処理動作を実施する。また処理装置350を、上記で詳述されている機能および／または実施形態の一部または全部を実施するように構成することもできる。各処理装置350は、1つまたは複数の動作を行うように構成された任意の適切な処理または計算デバイスを含む。各処理装置350は、例えば、マイクロプロセッサ、マイクロコントローラ、デジタル信号プロセッサ、フィールドプログラマブルゲートアレイ、または特定用途向け集積回路を含むことができる。
【００９３】
各送信機352は、1つまたは複数のEDまたは他のデバイスへの無線送信または有線送信の信号を生成するための任意の適切な構造を含む。各受信機354は、1つまたは複数のEDまたは他のデバイスから無線または有線で受信された信号を処理するための任意の適切な構造を含む。別個の構成要素として図示されているが、少なくとも1つの送信機352と少なくとも1つの受信機354とを組み合わせて送受信機にすることもできる。各アンテナ356は、無線信号または有線信号を送信および／または受信するための任意の適切な構造を含む。ここでは共通のアンテナ356が送信機352と受信機354の両方に結合されているものとして図示されているが、1つまたは複数のアンテナ356を（1つまたは複数の）送信機352に結合することもでき、1つまたは複数の別個のアンテナ356を（1つまたは複数の）受信機354に結合することもできる。各メモリ358は、ED110に関連して上述したものなどの、（1つまたは複数の）任意の適切な揮発性および／または不揮発性の記憶および検索デバイスを含む。メモリ358は、基地局170によって使用、生成、または収集される命令およびデータを格納する。例えば、メモリ358は、上述の機能および／または実施形態の一部または全部を実施するように構成された、（1つまたは複数の）処理装置350によって実行されるソフトウェア命令またはモジュールを格納することができる。
【００９４】
入力／出力デバイス366は、ユーザまたはネットワーク内の他のデバイスとのインタラクションを可能にする。各入力／出力デバイス366は、ネットワークインターフェース通信を含む、ユーザに情報を提供するか、またはユーザから情報を受け取る／提供するための任意の適切な構造を含む。
【００９５】
上述のように、EDにダウンリンクデータまたはアップリンクデータのスケジューリングなどの特定の物理層パラメータや他の構成パラメータに関する情報を提供するために、物理ダウンリンク制御チャネル（PDCCH）を介して、基地局などのネットワーク側デバイスからEDにダウンリンク制御情報（DCI）が送信される。DCIは、異なる目的のために設計されている異なるDCIフォーマットを使用して伝送され得る。以下の表1に、8つの異なる目的に使用される8つの異なるDCIフォーマットの例を示す。
【００９６】
【表１】
2021507651.tif 000007
【００９７】
DCIフォーマット0_0とDCIフォーマット1_0とは、それぞれ、アップリンクデータとダウンリンクデータのスケジューリングのための「フォールバック」DCIフォーマットとして知られている。フォールバックDCIフォーマットは、基本的な無線リンクセットアップまたはシステム情報の再構成もしくは伝送を行う際に使用するためのものである。フォールバックDCIフォーマットは他のDCIフォーマットより少ない情報（すなわち、基本的な無線リンクセットアップまたは再構成が行われることを可能にする最小限の量の情報）を含み得る。
【００９８】
DCIフォーマット0_1とDCIフォーマット1_1とは、それぞれ、アップリンクデータとダウンリンクデータのスケジューリングのための「非フォールバック」DCIフォーマットとして知られている。DCIフォーマット2_0とDCIフォーマット2_1とは、それぞれ、EDに、スロットフォーマット情報と情報のプリエンプションとに関して通知するためのDCIフォーマットである。DCIフォーマット2_2とDCIフォーマット2_3とは、EDに、送信電力制御情報に関して通知するためのDCIフォーマットである。以下では本出願の実施形態が特にフォールバックDCIに関連して説明され得るが、より一般的には、本開示の態様を多くの異なるタイプのDCIで使用することができることを理解されたい。
【００９９】
フォールバックDCIフォーマットのペイロードサイズを、アクティブなダウンリンクBWPではなく、初期ダウンリンクBWPに基づいて決定することができる。初期ダウンリンクBWPは、UEがネットワークに最初にアクセスするときにUEに割り振られる時間周波数リソースの周波数領域サイズである。初期BWPは初期ネットワークアクセス後に使用され得るが、多くの場合UEは、ネットワークをさらに利用するときにアクティブなBWPで構成されることになる。アクティブなBWPを適宜再構成することができる。（リソースブロックの数を単位とする）初期ダウンリンクBWPサイズは、アクティブなダウンリンクBWPと異なり得る。DCI内の周波数領域のリソース割り振りフィールドのサイズが初期ダウンリンクBWP内のリソースブロックの数によって決定されると、アクティブなBWPのサイズが初期ダウンリンクBWPと異なる場合、DCIがアクティブなBWPにおけるリソース割り振りに使用されるときに、これによりフォールバックDCIの内容の不確実性または誤った解釈を生じる可能性がある。本開示の実施形態は、そのような不確実性を解決しようと努める。
【０１００】
フォールバックDCIフォーマットの周波数領域リソース割り振りを伝えることに加えて、本開示の実施形態はまた、フォールバックDCIが複数のUEに利用されるときのより大きなスペクトル効率も提供し得る。
【０１０１】
新無線（NR）では、リソース割り振りが、DCIフォーマットに含まれる周波数領域リソース割り振りフィールドのリソース指示値（RIV）の使用に基づいて行われ得る。リソース割り振りは、仮想リソースブロック（VRB）対物理リソースブロック（PRB）のインターリーブマッピングありまたはなしで行われ得る。RIVに基づくリソース割り振りの一形態はLTEで利用される。しかしながら、LTE RIVでは、リソース割り振りは、搬送波サイズの一部分、すなわちBWPではなく、搬送波サイズ全体に基づくものである。このリソース割り振りの一例はリソース割り振りタイプ1を使用して行われ得る。
【０１０２】
図4Aに、例えば、1つまたは複数のUEに送信するために使用されるPDSCHまたはUEが基地局に送信するために使用されるPUSCHを含み得る、VRBのサブセットがデータ伝送に割り振られている仮想リソースブロック（VRB）のセットを示す。VRBのセット410全体は、
【数５】
2021507651.tif 000008
リソースブロックの長さであり、0から
【数６】
2021507651.tif 000009
まで付番されている。データ伝送に割り振られたリソースは、リソースブロックRBstartから開始すると表示されたVRBのサブセット412であり、LRBsRBの長さである。
【０１０３】
RIVベースのリソース割り振りでは、単一の値RIVが2つの値、すなわち、開始リソースブロックRBstartの値と割り振られたRBの数LRBsとを表す。本開示の態様では、RIV値は、基準開始仮想リソースブロック、すなわち、VRB＝0および周波数帯域の（RBの数で定義された）全体サイズ
【数７】
2021507651.tif 000010
と併用される場合、RBstartおよびLRBsを決定するために使用することができる。
【０１０４】
VRBとPRBとの間にインターリーブマッピングがない例では、VRB nがPRB nにマップされる。
【０１０５】
図4Bに、VRBとPRBとの間にインターリーブマッピングがある場合に、図4AのVRBのセット410をVRBのセットと同数のRBを有するPRBのセット420にどのようにしてマップすることができるかの一例を示す。PRBのセット420では、VRBのサブセット412が、2RBのRBバンドル422、424、426、428として拡散されている。ここではバンドルが分配される具体的な方法については説明しない。この例では、VRBは同数のPRBにマップされる。しかしながら、図5、図6、図7および図8に関して以下の例に示されるように、VRBのセットを、異なるPRBのセットの一部、すなわち、アクティブなBWPにマップすることができる。そのような場合には、図4Bの図は、例えば図7および図8に示されるように、VRBのPRBへのマッピングの中間段階と見なされ得る。
【０１０６】
いくつかの実施形態では、DCIは共通探索空間で送信され、DCIは複数のUEのためのものであり得る。DCIがUEのグループによって復号されることを意図されている場合、UEのグループはDCIの内容に関して同じ理解を有する必要がある。グループ内のすべてのUEによって受信されるDCIはペイロードサイズを有する単一のDCIである。したがって、すべてのUEに知られることになる共通のペイロードサイズがあれば有益なはずである。これが、DCIフォーマット0_0／1_0（フォールバックDCI）のペイロードサイズを、ネットワークにアクセスするすべてのUEに対して同じである初期ダウンリンク帯域幅部分（初期DL BWP）に基づいて決定できる1つの理由である。これは、例えば、
【数８】
2021507651.tif 000011
のサイズを初期DL BWP内のリソースブロックの数であると想定できることを意味する。いくつかの実施形態では、効率的なスペクトル利用を提供するために同じスケジュールされたPDSCHがUEのグループに割り振られる。これは、UEのグループがPDSCHについて同じリソース要素（RE）に各々アクセスすることになることを意味する。言い換えると、グループ内のすべてのUEが、所与のUEのアクティブなDL BWPにかかわらず、RIVを含む、DCIフィールド、特に周波数領域リソース割り振りフィールドの同じ解釈を有するはずである。DCIサイズがすべてのUEに共通ではない値、例えば、初期BWP以外のあるものによって決定されることになっていた場合、異なるアクティブなBWPを有するUEがDCI内の周波数領域リソース割り振りフィールドを解釈することは難しくなるであろう。結果として、PDSCHの解釈された周波数位置がUEのグループ内の各UEのアクティブなBWPの周波数範囲になり、UEのグループ内のすべてのUEが、それらすべてがPDSCHの同じ周波数位置を取得するようにDCIを解釈することになり得る。
【０１０７】
周波数領域リソース割り振りでは、フォールバックDCI（DCIフォーマット1_0または0_0）が共通探索空間で復号されるとき、データ伝送のためのスケジュールされたリソースの開始物理リソースブロックを決定するために、基準RB（インターリーブマッピングが使用されない場合）または基準RBバンドル（インターリーブマッピングが使用される場合）が利用される。例えば、非インターリーブVRB対PRBマッピングでは、仮想リソースブロックnが、物理リソースブロックn＋n_reference_RBにマップされる。これに対して、インターリーブVRB対PRBマッピングの場合には、仮想リソースブロックバンドルjが物理リソースブロックバンドルf（j）＋j_reference_RB_bundleにマップされる。インターリーブに使用されるBWPサイズは、本明細書でXと定義される基準PRB帯域サイズである。RBバンドルサイズは固定されている。RBバンドルサイズの2つの非限定的な例が2RBまたは4RBである。
【０１０８】
複数のUEのための共通スケジュールリソースでは、基準RB、または基準RBバンドルは、UEのグループについて同じ物理周波数位置を有する。しかしながら、基準RB、または基準RBバンドルは、様々なUEが異なる開始RBで発生する異なるサイズのアクティブなBWPを有し得るので、UEのグループ内の各UEのアクティブなBWPにおいて異なるPRBインデックスまたはPRBバンドルインデックスを有し得る。これは例えば、図5の、UE1、UE2およびUE3のアクティブなBWPに示されている。UEは、共通スケジュールリソースのサイズと等しい少なくとも1つの物理周波数位置のオーバーラップを有するはずである。
【０１０９】
本開示の様々な態様は、VRB対PRBマッピングで使用されるべき基準RBのための代替の選択を各々提供する。第1の実施形態では、基準RBは、フォールバックDCI（DCIフォーマット0_0または1_0）がUEによって復号されているPDCCHの最低のリソース要素グループ（REG）になるように選択される。第2の実施形態では、基準RBは、フォールバックDCI（DCIフォーマット0_0または1_0）がUEによって復号されているCORESETの最低番号のPRBになるように選択される。第3の実施形態では、基準RBは、アクティブなBWPにおける最小のCORESET IDを有する構成されたCORESETの最低番号のPRBになるように選択される。第4の実施形態では、基準RBは、初期DL BWP（またはCORESET#0）の最低番号のPRBになるように選択される。第5の実施形態では、基準RBは、最小のBWP IDを有する構成されたBWPの最低番号のPRBになるように選択される。第6の実施形態では、基準RBは、デフォルトのBWPの最低番号のPRBになるように選択される。第7の実施形態では、基準RBは、上位層シグナリングによって構成されたPRBである。
【０１１０】
以下は、仮想リソースブロックから物理リソースブロックへのマッピングに使用されるべき基準RBの選択に関して上述した第1の実施形態から第7の実施形態のより詳細な説明である。
【０１１１】
第1の実施形態
非インターリーブVRB対PRBマッピングでは、仮想リソースブロックnが物理リソースブロックnにマップされ、ただし、フォールバックDCIが共通探索空間で復号される場合を除き、その場合仮想リソースブロックnは物理リソースブロックn＋nREGにマップされ、物理リソースブロックnREGは、フォールバックDCIがUEによって復号されているPDCCHの最低のREGに対応する。
【０１１２】
第2の実施形態
非インターリーブVRB対PRBマッピングでは、仮想リソースブロックnが物理リソースブロックnにマップされ、ただし、フォールバックDCIが共通探索空間で復号される場合を除き、その場合仮想リソースブロックnは物理リソースブロック
【数９】
2021507651.tif 000012
にマップされ、物理リソースブロック
【数１０】
2021507651.tif 000013
は、フォールバックDCIがUEによって復号されている制御リソースセット内の最低番号の物理リソースブロックに対応する。
【０１１３】
第3の実施形態
非インターリーブVRB対PRBマッピングでは、仮想リソースブロックnが物理リソースブロックnにマップされ、ただし、フォールバックDCIが共通探索空間で復号される場合を除き、その場合仮想リソースブロックnは物理リソースブロック
【数１１】
2021507651.tif 000014
にマップされ、物理リソースブロック
【数１２】
2021507651.tif 000015
は、アクティブな帯域幅部分において構成された最低のIDを有する制御リソースセット内の最低番号の物理リソースブロックに対応する。
【０１１４】
第4の実施形態
非インターリーブVRB対PRBマッピングでは、仮想リソースブロックnが物理リソースブロックnにマップされ、ただし、フォールバックDCIが共通探索空間で復号される場合を除き、その場合仮想リソースブロックnは物理リソースブロック
【数１３】
2021507651.tif 000016
にマップされ、物理リソースブロック
【数１４】
2021507651.tif 000017
は、初期DL帯域幅部分の物理リソースブロック0と同じ共通リソースブロックに対応する。
【０１１５】
第5の実施形態
非インターリーブVRB対PRBマッピングでは、仮想リソースブロックnが物理リソースブロックnにマップされ、ただし、フォールバックDCIが共通探索空間で復号される場合を除き、その場合仮想リソースブロックnは物理リソースブロックn＋nPRB0にマップされ、物理リソースブロックnPRB0は、最小BWP IDで構成された帯域幅部分の物理リソースブロック0と同じ共通リソースブロックに対応する。
【０１１６】
第6の実施形態
非インターリーブVRB対PRBマッピングでは、仮想リソースブロックnが物理リソースブロックnにマップされ、ただし、フォールバックDCIが共通探索空間で復号される場合を除き、仮想リソースブロックnは物理リソースブロック
【数１５】
2021507651.tif 000018
にマップされ、物理リソースブロック
【数１６】
2021507651.tif 000019
は、デフォルトのDL帯域幅部分の物理リソースブロック0と同じ共通リソースブロックに対応する。
【０１１７】
第7の実施形態
上位層シグナリングによってUEに対して構成されたPRB。非インターリーブVRB対PRBマッピングでは、仮想リソースブロックnが物理リソースブロックnにマップされ、ただし、フォールバックDCIが共通探索空間で復号される場合を除き、その場合仮想リソースブロックnは物理リソースブロックn＋n0にマップされ、n0は上位層シグナリングによって構成される。
【０１１８】
本開示の様々な態様は、インターリーブVRB対PRBマッピングで使用されるべき基準RBバンドルの代替の選択を各々提供する。第8の実施形態では、基準RBバンドルは、上述の第1の実施形態から第7の実施形態のいずれかの基準RBを含むRBバンドルになるように選択される。第9の実施形態では、基準RBバンドルは、フォールバックDCI（DCIフォーマット0_0または1_0）がUEによって復号されているPDCCHの最低のリソース要素グループ（REG）を含むRBバンドルになるように選択される。第10の実施形態では、基準RBバンドルは、フォールバックDCI（DCIフォーマット0_0または1_0）がUEによって復号されているCORESETの最低番号のPRBを含むRBバンドルになるように選択される。第11の実施形態では、基準RBバンドルは、アクティブなBWPにおける最小のCORESET IDを有する構成されたCORESETの最低番号のPRBを含むRBバンドルになるように選択される。第12の実施形態では、基準RBバンドルは、初期DL BWP（またはCORESET#0）の最低番号のPRBを含むRBバンドルになるように選択される。第13の実施形態では、基準RBバンドルは、最小のBWP IDを有する構成されたBWPの最低番号のPRBを含むRBバンドルになるように選択される。第14の実施形態では、基準RBバンドルは、デフォルトのBWPの最低番号のPRBを含むRBバンドルになるように選択される。第15の実施形態では、基準RBバンドルは、上位層シグナリングによって構成されたRBバンドルである。
【０１１９】
以下は、仮想リソースブロックから物理リソースブロックへのマッピングに使用されるべき基準RBの選択に関して上述した第9の実施形態から第15の実施形態のより詳細な説明である。
【０１２０】
第9の実施形態
インターリーブVRB対PRBマッピングでは、マッピングプロセスはリソースブロックバンドルを単位として定義される。フォールバックDCIが共通探索空間で復号される場合、UEはLi＝2であると仮定し、仮想リソースブロックバンドルj∈｛0，1…，Nbundle−2｝が物理リソースブロックバンドルf（j）＋jREGにマップされ、物理リソースブロックバンドルjREGは、フォールバックDCIがUEによって復号されているPDCCHの最低のREGを含む。
【０１２１】
第10の実施形態
インターリーブVRB対PRBマッピングでは、マッピングプロセスはリソースブロックバンドルを単位として定義される。フォールバックDCIが共通探索空間で復号される場合、UEはLi＝2であると仮定し、仮想リソースブロックバンドルj∈｛0，1…，Nbundle−2｝が物理リソースブロックバンドル
【数１７】
2021507651.tif 000020
にマップされ、物理リソースブロックバンドル
【数１８】
2021507651.tif 000021
は、フォールバックDCIがUEによって復号されている制御リソースセット内の最低番号の物理リソースブロックを含む。
【０１２２】
第11の実施形態
インターリーブVRB対PRBマッピングでは、マッピングプロセスはリソースブロックバンドルを単位として定義される。フォールバックDCIが共通探索空間で復号される場合、UEはLi＝2であると仮定し、仮想リソースブロックバンドルj∈｛0，1…，Nbundle−2｝が物理リソースブロックバンドル
【数１９】
2021507651.tif 000022
にマップされ、物理リソースブロックバンドル
【数２０】
2021507651.tif 000023
は、アクティブな帯域幅部分において構成された最低のIDを有する制御リソースセット内の最低番号の物理リソースブロックを含む。
【０１２３】
第12の実施形態
インターリーブVRB対PRBマッピングでは、マッピングプロセスはリソースブロックバンドルを単位として定義される。フォールバックDCIが共通探索空間で復号される場合、UEはLi＝2であると仮定し、仮想リソースブロックバンドルj∈｛0，1…，Nbundle−2｝が物理リソースブロックバンドル
【数２１】
2021507651.tif 000024
にマップされ、物理リソースブロックバンドル
【数２２】
2021507651.tif 000025
は、初期DL帯域幅部分の物理リソースブロック0を含む。
【０１２４】
第13の実施形態
インターリーブVRB対PRBマッピングでは、マッピングプロセスはリソースブロックバンドルを単位として定義される。フォールバックDCIが共通探索空間で復号される場合、UEはLi＝2であると仮定し、仮想リソースブロックバンドルj∈｛0，1…，Nbundle−2｝が物理リソースブロックバンドルf（j）＋jPRB0にマップされ、物理リソースブロックバンドルjPRB0は、最小のBWP IDで構成された帯域幅部分の物理リソースブロック0を含む。
【０１２５】
第14の実施形態
インターリーブVRB対PRBマッピングでは、マッピングプロセスはリソースブロックバンドルを単位として定義される。フォールバックDCIが共通探索空間で復号される場合、UEはLi＝2であると仮定し、仮想リソースブロックバンドルj∈｛0，1…，Nbundle−2｝が物理リソースブロックバンドル
【数２３】
2021507651.tif 000026
にマップされ、物理リソースブロックバンドル
【数２４】
2021507651.tif 000027
は、デフォルトのDL帯域幅部分の物理リソースブロック0を含む。
【０１２６】
第15の実施形態
インターリーブVRB対PRBマッピングでは、マッピングプロセスはリソースブロックバンドルを単位として定義される。フォールバックDCIが共通探索空間で復号される場合、UEはLi＝2であると仮定し、仮想リソースブロックバンドルj∈｛0，1…，Nbundle−2｝が物理リソースブロックバンドルf（j）＋j0にマップされ、物理リソースブロックバンドルj0は、上位層シグナリングによって構成される。
【０１２７】
いくつかの実施形態では、例えばリソース割り振りタイプ1を使用する場合、フォールバックDCI（DCIフォーマット1_0または0_0）が共通探索空間で復号されるときに、基準RB帯域サイズ（X）がBWPサイズを決定するために使用される。基準PRB帯域サイズはRIV計算またはVRB対PRBマッピング、またはその両方に使用される。いくつかの実施形態では、第1の基準RB帯域サイズ（X1）がRIV計算に使用され、第2の基準RB帯域サイズ（X2）がVRB対PRBマッピングに使用される。
【０１２８】
基準PRB帯域サイズ（X）は、UEのグループがすべて、フォールバックDCIを介してグループ情報を提供されている場合には、そのUEのグループに対して同じとすることができる。
【０１２９】
本開示の様々な態様は、RIV計算またはVRB対PRBマッピング、またはその両方に使用されるべきPRB帯域サイズ（X）の代替の選択を各々提供する。第1の実施形態では、PRB帯域サイズ（X）は、初期DL BWPのサイズ（すなわち、CORESET#0のサイズ）になるように選択される。第2の実施形態では、PRB帯域サイズ（X）は、フォールバックDCIがUEによって復号されているCORESETの周波数サイズになるように選択される。CORESETの周波数サイズは、CORESETの最低番号のPRBからCORESETの最高番号のPRBまでのPRBの数を指す。第3の実施形態では、PRB帯域サイズ（X）は、アクティブなBWPにおける最小のCORESET IDを有する構成されたCORESETの周波数サイズになるように選択される。第4の実施形態では、PRB帯域サイズ（X）は、最小のBWP IDを有する構成されたBWPのサイズになるように選択される。第5の実施形態では、PRB帯域サイズ（X）は、デフォルトのBWPのサイズになるように選択される。第6の実施形態では、PRB帯域サイズ（X）は、上位層シグナリングによって構成される。いくつかの実施形態では、第1の基準RB帯域サイズ（X1）がRIV計算に使用され、第2の基準RB帯域サイズ（X2）がVRB対PRBマッピングに使用され、第1のRB帯域サイズ（X1）または第2のRB帯域サイズ（X2）に上述の第1の実施形態から第6の実施形態のいずれかを使用することができる。
【０１３０】
以下は、RIV計算または仮想リソースブロックから物理リソースブロックへのマッピングに使用されるべきPRB帯域サイズの選択に関して上述した第1の実施形態から第6の実施形態のより詳細な説明である。VRB対PRBマッピングで使用されるべき基準RBを選択するための第1の実施形態から第15の実施形態のいずれかが、PRB帯域サイズを選択するための第1の実施形態から第6の実施形態と組み合わされ得る。
【０１３１】
第1の実施形態
RIV計算またはVRB対PRBマッピングでは、BWPサイズは、初期DL BWPのリソースブロックの数と等しい。任意選択で、インターリーブVRB対PRBマッピングでは、マッピングプロセスはリソースブロックバンドルを単位としてさらに定義される。フォールバックDCIが共通探索空間で復号される場合、UEは、バンドルサイズL＝2と仮定する。
【０１３２】
第2の実施形態
RIV計算またはVRB対PRBマッピングでは、BWPサイズは、フォールバックDCIがUEによって復号されている制御リソースセットの最低番号のリソースブロックから最高番号のリソースブロックまでのリソースブロックの数と等しい。任意選択で、インターリーブVRB対PRBマッピングでは、マッピングプロセスはリソースブロックバンドルを単位としてさらに定義される。フォールバックDCIが共通探索空間で復号される場合、UEは、バンドルサイズL＝2と仮定する。
【０１３３】
第3の実施形態
RIV計算またはVRB対PRBマッピングでは、BWPサイズは、アクティブな帯域幅部分において構成された最低のIDを有する制御リソースセットの最低番号のリソースブロックから最高番号のリソースブロックまでのリソースブロックの数と等しい。任意選択で、インターリーブVRB対PRBマッピングでは、マッピングプロセスはリソースブロックバンドルを単位としてさらに定義される。フォールバックDCIが共通探索空間で復号される場合、UEは、バンドルサイズL＝2と仮定する。
【０１３４】
第4の実施形態
RIV計算またはVRB対PRBマッピングでは、BWPサイズは、最小のBWP IDで構成された帯域幅部分内のリソースブロックの数と等しい。任意選択で、インターリーブVRB対PRBマッピングでは、マッピングプロセスはリソースブロックバンドルを単位としてさらに定義される。フォールバックDCIが共通探索空間で復号される場合、UEは、バンドルサイズL＝2と仮定する。
【０１３５】
第5の実施形態
RIV計算またはVRB対PRBマッピングでは、BWPサイズは、デフォルトの帯域幅部分内のリソースブロックの数と等しい。任意選択で、インターリーブVRB対PRBマッピングでは、マッピングプロセスはリソースブロックバンドルを単位としてさらに定義される。フォールバックDCIが共通探索空間で復号される場合、UEは、バンドルサイズL＝2と仮定する。
【０１３６】
第6の実施形態
RIV計算またはVRB対PRBマッピングでは、BWPサイズは、上位層シグナリングによって構成されたリソースブロックの数と等しい。任意選択で、インターリーブVRB対PRBマッピングでは、マッピングプロセスはリソースブロックバンドルを単位としてさらに定義される。フォールバックDCIが共通探索空間で復号される場合、UEは、バンドルサイズL＝2と仮定する。
【０１３７】
図5、図6、図7および図8は、仮想リソースブロック（VRB）から物理リソースブロック（PRB）へのマッピングがどのようにして行われ得るかの例を含む。基地局は、VRBを割り振り、UEまたはUEのグループに、UEまたはUEのグループが利用できる割り振られたリソースを通知するDCIを送信する責任を担う。UEまたはUEのグループは、DCIを受信し、復号されると、割り振られたリソースにアクセスして、PDSCHの場合にはデータを受信し、PUSCHの場合には基地局にデータを送り返す。4つの図には、基地局で処理されると見なされ得るVRBと、3つのそれぞれのUEごとのそれぞれのアクティブな帯域幅部分（BWP）におけるPRBとが示されている。
【０１３８】
図5に、VRBのセットの、3つの異なるPRBのセット、すなわち3つのUEの各々に1つずつのPRBのセットへのマッピングの一例を示す。この例では、VRBおよびPRBからのマッピングの一部としてのインターリーブマッピングがない。データ伝送にスケジュールされたVRBのサブセット512を有するVRBのセット510は図4AのVRBのセットと実質的に同じである。データ伝送は、アップリンク（PUSCH）またはダウンリンク（PDSCH）のどちらかのものであり得る。PRBの各セット520、530、540は異なるそれぞれのUEのアクティブな帯域幅部分に対応する。PRBのセットの各々がそれぞれの数のPRBを有する。図5の例では、PRBの数、すなわちBWPサイズは、各アクティブなBWPにおいて異なる。より一般的には、それぞれのUE BWP内のPRBの数はUE固有であり得ることを理解されたい。PRBの各セット520、530、540内の最初のPRBは開始PRB＝0を有する。3つのPRBのセット520、530、540すべてが互いに対して同じ基準PRBを有するが、この基準PRBは、PRB＝0に対してアクティブなBWP内の異なるPRBにある。したがって、基準PRBは3つのUEすべてについて同じ物理周波数位置であることを理解されたい。3つのPRBのセット520、530、540すべてにおいて、特定の伝送510に割り振られているPRBのセット522、532、542は、それぞれのUEのアクティブなBWPの範囲内にある。
【０１３９】
1番目のPRBのセット520において、VRBのセット514に対応するPRBのセット524はUE1のアクティブなBWPの範囲内にある。3番目のPRBのセット540において、VRBのセット514に対応するPRBのセット544はUE3のアクティブなBWPの範囲内にある。2番目のPRBのセット530において、VRBのセット514に対応するPRBのセット534はUE2のアクティブなBWPの範囲外にある。PRBのセット534はUE2の場合にはアクティブなBWPの外部に延在し得るが、これが発生するのは、UEにサービスしている基地局、より一般的には制御ネットワークが、UEにアクティブなBWPのサイズを最終的に割り振り、VRBのセット514のサイズおよびスケジュールされたVRB512のサイズを定義するものであるためにすぎないことを理解されたい。結果として、基地局は十分にインテリジェントなので、基地局がサービスしている任意の所与のUEに、やはり基地局が割り振っているアクティブなBWPの外部で情報のスケジュールおよび伝送を行わなくなる。
【０１４０】
図6に、VRBのセットの、3つの異なるPRBのセット、すなわち3つのUEの各々に1つずつのPRBのセットへのマッピングの別の例を示す。この例では、VRBおよびPRBからのマッピングの一部としてのインターリーブマッピングがない。この例では、VRBのサブキャリア間隔構成はPRBのサブキャリア間隔構成の場合と同じではない。PRBのセット620、630、640内のそれぞれのPRBの高さを、VRBのセット610内のVRBの高さのおおよそ2倍と見なすことができる。これは例えば、個々のVRBのサブキャリア間隔よりも広い個々のPRBのサブキャリア間隔を表し得る。データ伝送にスケジュールされたVRBのサブセット612を有するVRBのセット610は図4AのVRBのセットと実質的に同じである。データ伝送は、アップリンクまたはダウンリンクのものであり得る。PRBの各セット620、630、640は異なるそれぞれのUEのアクティブな帯域幅部分に対応する。PRBのセットの各々がそれぞれの数のPRBを有する。図6の例では、PRBの数は、各アクティブなBWPにおいて異なる。より一般的には、それぞれのUE BWP内のPRBの数はUE固有であり得ることを理解されたい。PRBの各セット620、630、640内の最初のPRBは開始PRB＝0を有する。3つのPRBのセット620、630、640すべてが互いに対して同じ基準PRBを有するが、この基準PRBは、PRB＝0に対してアクティブなBWP内の異なるPRBにある。したがって、基準PRBは3つのUEすべてについて同じ物理周波数位置であることを理解されたい。3つのPRBのセット620、630、640すべてにおいて、特定の伝送610に割り振られているPRBのセット622、632、642は、それぞれのUEのアクティブなBWPの範囲内にある。
【０１４１】
1番目のPRBのセット620において、VRBのセット614に対応するPRBのセット624はUE1のアクティブなBWPの範囲内にある。3番目のPRBのセット640において、VRBのセット614に対応するPRBのセット644はUE3のアクティブなBWPの範囲内にある。2番目のPRBのセット630において、VRBのセット614に対応するPRBのセット634はUE2のアクティブなBWPの範囲外にある。PRBのセット634はUE2の場合にはアクティブなBWPの外部に延在し得るが、これが発生するのは、UEにサービスしている基地局、より一般的には制御ネットワークが、UEにアクティブなBWPのサイズを最終的に割り振り、VRBのセット614のサイズおよびスケジュールされたVRB612のサイズを定義するものであるためにすぎないことを理解されたい。結果として、基地局は十分にインテリジェントなので、基地局がサービスしている任意の所与のUEに、やはり基地局が割り振っているアクティブなBWPの外部で情報のスケジュールおよび伝送を行わなくなる。
【０１４２】
図7に、VRBのセットの、3つの異なるPRBのセット、すなわち3つのUEの各々に1つずつのPRBのセットへのマッピングの別の例を示す。この例では、VRBおよびPRBからのマッピングの一部としてのインターリーブマッピングがある。データ伝送にスケジュールされたVRBのサブセット712を有するVRBのセット710は、715に示されているようにVRB対PRBマッピングの一部としてインターリーブされている。データ伝送は、アップリンクまたはダウンリンクのものであり得る。データ伝送にスケジュールされたVRBのサブセット712を、2RBのRBバンドルのセット716、717、718、および719としてマップすることができ、これは図4Bと実質的に同じである。PRBの各セット720、730、740は異なるそれぞれのUEのアクティブな帯域幅部分に対応する。PRBのセットの各々がそれぞれの数のPRBを有する。図7の例では、PRBの数は、各アクティブなBWPにおいて異なる。より一般的には、それぞれのUE BWP内のPRBの数はUE固有であり得ることを理解されたい。PRBの各セット720、730、740内の最初のPRBは開始PRB＝0を有する。3つのPRBのセット720、730、740すべてが互いに対して同じ基準PRBを有するが、この基準PRBは、PRB＝0に対してアクティブなBWP内の異なるPRBにある。PRBバンドルの位置決定に使用されるグリッドをシステムにおいて固定的に構成することができ、基準PRBの位置はしかるべくバンドル内で生じることになる。したがって、基準PRBは、PRBバンドル内の最初のPRBである場合もそうでない場合もある。図7の例では、アクティブなBWPの各々における基準PRBは、2PRBバンドルの2番目のPRBである。再度、基準PRB、より一般的には基準PRBバンドルは、3つのUEすべてについて同じ物理周波数位置であることを理解されたい。3つのPRBのセット720、730、740すべてにおいて、インターリーブVRBバンドル（715の716、717、718、719）に対応するPRBのインターリーブバンドル（例えば720の726、727、728、729）はそれぞれのUEのアクティブなBWPの範囲内にある。
【０１４３】
1番目のPRBのセット720において、VRBのセット714に対応するPRBのセット724はUE1のアクティブなBWPの範囲内にある。3番目のPRBのセット740において、VRBのセット714に対応するPRBのセット744はUE3のアクティブなBWPの範囲内にある。2番目のPRBのセット730において、VRBのセット714に対応するPRBのセット734はUE2のアクティブなBWPの範囲外にある。PRBのセット734はUE2の場合にはアクティブなBWPの外部に延在し得るが、これが発生するのは、UEにサービスしている基地局、より一般的には制御ネットワークが、UEにアクティブなBWPのサイズを最終的に割り振り、VRBのセット714のサイズを定義し、使用されるインターリーブマッピングおよびバンドルのサイズおよびスケジュールされたVRB712のサイズを定義するものであるためにすぎないことを理解されたい。結果として、基地局は十分にインテリジェントなので、基地局がサービスしている任意の所与のUEに、やはり基地局が割り振っているアクティブなBWPの外部で情報のスケジュールおよび伝送を行わなくなる。
【０１４４】
図8に、VRBのセットの、3つの異なるPRBのセット、すなわち3つのUEの各々に1つずつのPRBのセットへのマッピングの別の例を示す。この例では、VRBおよびPRBからのマッピングの一部としてのインターリーブマッピングがある。この例では、VRBのサブキャリア間隔構成はPRBのサブキャリア間隔構成の場合と同じではない。PRBのセット820、830、840内のそれぞれのPRBの高さを、VRBのセット810内のVRBの高さのおおよそ2倍と見なすことができる。これは例えば、個々のVRBのサブキャリア間隔よりも広い個々のPRBのサブキャリア間隔を表し得る。データ伝送にスケジュールされたVRBのサブセット812を有するVRBのセット810は、815に示されているようにVRB対PRBマッピングの一部としてインターリーブされている。データ伝送は、アップリンクまたはダウンリンクのものであり得る。データ伝送にスケジュールされたVRBのサブセット812を、2RBのRBバンドルのセット816、817、および818としてマップされるように設定することができ、これは図4Bと実質的に同じである。PRBの各セット820、830、840は異なるそれぞれのUEのアクティブな帯域幅部分に対応する。PRBのセットの各々がそれぞれの数のPRBを有する。図8の例では、PRBの数は、各アクティブなBWPにおいて異なる。より一般的には、それぞれのUE BWP内のPRBの数はUE固有であり得ることを理解されたい。PRBの各セット820、830、840内の最初のPRBは開始PRB＝0を有する。3つのPRBのセット820、830、840すべてが互いに対して同じ基準PRBを有するが、この基準PRBは、PRB＝0に対してアクティブなBWP内の異なるPRBにある。PRBバンドルの位置決定に使用されるグリッドをシステムにおいて固定的に構成することができ、基準PRBの位置はしかるべくバンドル内で生じることになる。したがって、基準PRBは、PRBバンドル内の最初のPRBである場合もそうでない場合もある。図8の例では、アクティブなBWPの各々の基準PRBは、2PRBバンドルの2番目のPRBである。再度、基準PRB、より一般的には基準PRBバンドルは、3つのUEすべてについて同じ物理周波数位置であることを理解されたい。3つのPRBのセット820、830、840すべてにおいて、インターリーブVRBバンドル（815の816、817、818）に対応するPRBのインターリーブバンドル（例えば820の826、827、828）はそれぞれのUEのアクティブなBWPの範囲内にある。
【０１４５】
1番目のPRBのセット820において、VRBのセット814に対応するPRBのセット824はUE1のアクティブなBWPの範囲内にある。3番目のPRBのセット840において、VRBのセット814に対応するPRBのセット844はUE3のアクティブなBWPの範囲内にある。2番目のPRBのセット830において、VRBのセット814に対応するPRBのセット834はUE2のアクティブなBWPの範囲外にある。PRBのセット834はUE2の場合にはアクティブなBWPの外部に延在し得るが、これが発生するのは、UEにサービスしている基地局、より一般的には制御ネットワークが、UEにアクティブなBWPのサイズを最終的に割り振り、VRBのセット814のサイズを定義し、使用されるインターリーブマッピングおよびバンドルのサイズおよびスケジュールされたVRB812のサイズを定義するものであるためにすぎないことを理解されたい。結果として、基地局は十分にインテリジェントなので、基地局がサービスしている任意の所与のUEに、やはり基地局が割り振っているアクティブなBWPの外部で情報のスケジュールおよび伝送を行わなくなる。
【０１４６】
図9に、本開示の一実施形態による無線通信のための例示的な方法900を記述する流れ図を示す。本方法は、ユーザ機器（UE）により、第1の帯域幅部分（BWP）の物理ダウンリンク制御チャネル（PDCCH）でダウンリンク制御情報（DCI）を受信するステップ910を含む。
【０１４７】
別のステップ920は、UEにより、DCI内の周波数領域リソース割り振りフィールドの値と、基準RBと、第2のBWPの基準サイズとに基づいてDCIによって割り振られたデータ伝送のための開始リソースブロック（RB）を決定するステップを含む。
【０１４８】
基準RBは、
（a）DCIがUEによって復号されているPDCCHの最低番号のリソース要素グループ（REG）、
（b）DCIがUEによって復号されている制御リソースセット（CORESET）の最低番号の物理リソースブロック（PRB）、
（c）アクティブなBWPにおける最小のCORESET識別子（ID）を有する構成されたCORESETの最低番号のPRB、
（d）UEによって使用される初期DL BWPの最低番号のPRB、
（e）最小のBWP IDを有する構成されたBWPの最低番号のPRB、
（f）デフォルトのBWPの最低番号のPRB、および（g）上位層シグナリングによって構成されたPRB
のうちの少なくとも1つであり得る。
【０１４９】
第2のBWPの基準サイズは、
（a）初期DL BWPのRBの数、
（b）DCIがUEによって復号されている制御リソースセット（CORESET）を構成するRBの数、
（c）アクティブなBWPにおける最小のCORESET識別子（ID）を有する構成されたCORESETを定義するRBの数、
（d）最小のBWP IDを有する構成されたBWPのサイズを定義するRBの数、
（e）デフォルトのBWPのサイズを定義するRBの数、および
（f）上位層シグナリングによって構成されたRBの数
のうちの少なくとも1つと等しいRBの数である。
【０１５０】
任意選択のステップ930は、UEにより、DCI内の周波数領域リソース割り振りフィールドの値と第2のBWPの基準サイズとに基づいてデータ伝送のための連続して割り振られたRBの長さを決定するステップを含み得る。
【０１５１】
時間周波数リソースが確立され、少なくとも、開始RBと連続して割り振られたRBの長さとによって定義されると、UEは、確立された時間周波数リソースで、PUSCHの例ではデータ伝送を送信またはPDSCHの例ではデータ伝送を受信する940ことができる。
【０１５２】
いくつかの実施形態では、DCIはUEのグループと関連付けられており、DCIによって割り振られたデータ伝送は、UEのグループ内のすべてのUEに同じ時間周波数リソースで割り振られたダウンリンクデータ伝送である。
【０１５３】
いくつかの実施形態では、第1のBWPはアクティブなBWPであり、第2のBWPは初期ダウンリンク（DL）BWPである。
【０１５４】
いくつかの実施形態では、データ伝送のために割り振られたRBが、仮想RBのバンドル対物理RBのインターリーブバンドルのインターリーブマッピングに基づいて第1のBWP上で分配される。そのようなシナリオでは、開始RBは仮想開始RBであり、基準RBは仮想基準RBである。
【０１５５】
いくつかの実施形態では、UEはまた、少なくとも、仮想開始RBと、インターリーブマッピングと、物理RBの基準バンドルとに基づいてデータ伝送のための物理RBのインターリーブバンドルを決定する。そのようなシナリオでは、データ伝送を送信または受信することが、少なくとも一部が物理RBのインターリーブバンドルによって定義された時間周波数リソースで割り振られたデータ伝送を送信または受信することを含む。
【０１５６】
いくつかの実施形態では、仮想開始RBは連続して割り振られた仮想RBの長さの開始を定義し、物理RBのインターリーブバンドルを決定することが、連続して割り振られた仮想RBの長さにさらに基づいて物理RBのインターリーブバンドルを決定することを含む。
【０１５７】
図10に、本開示の一実施形態による無線通信のための例示的な方法1000を記述する流れ図を示す。本方法は、第1の帯域幅部分（BWP）の物理ダウンリンク制御チャネル（PDCCH）でダウンリンク制御情報（DCI）を伝送するステップ1010を含む。DCIは、DCIによって割り振られるべきデータ伝送のための開始リソースブロック（RB）を定義するための値を有する周波数領域リソース割り振りフィールドを含み、開始RBは、基準RBおよび第2のBWPの基準サイズと併せて定義される。さらなるステップ1020は、基地局とユーザ機器（UE）との間で、データ伝送を送信または受信するステップを含む。
【０１５８】
いくつかの実施形態では、周波数領域リソース割り振りフィールドの値は、データ伝送のための連続して割り振られたRBの長さをさらに定義する。1020のデータ伝送を送信または受信するステップは、少なくとも開始RBおよび連続して割り振られたRBの長さによって定義された時間周波数リソースで割り振られたデータ伝送を送信または受信するステップを含む。
【０１５９】
いくつかの実施形態では、データ伝送のために割り振られたRBが、仮想RBのバンドル対物理RBのインターリーブバンドルのインターリーブマッピングに基づいて第1のBWP上で分配される。そのようなシナリオでは、開始RBは仮想開始RBであり、基準RBは仮想基準RBである。
【０１６０】
いくつかの実施形態では、データ伝送のための物理RBのインターリーブバンドルは、仮想開始RB、インターリーブマッピング、連続して割り振られた仮想RBの長さ、および物理RBの基準バンドルによって定義される。そのようなシナリオでは、1020のデータ伝送を送信または受信するステップは、少なくとも一部が物理RBのインターリーブバンドルによって定義された時間周波数リソースで割り振られたデータ伝送を送信または受信するステップを含む。
【０１６１】
図11に、本開示の一実施形態による無線通信のための別の例示的な方法1100を記述する流れ図を示す。本方法は、UEにより、アクティブなダウンリンク（DL）帯域幅部分（BWP）の物理ダウンリンク制御チャネル（PDCCH）でダウンリンク制御情報（DCI）を受信するステップ1110を含む。DCIはデータ伝送をスケジュールするためのものであり、DCIは周波数領域リソース割り振りフィールドを含む。
【０１６２】
別のステップ1120は、UEにより、少なくとも開始リソースブロック（RB）および連続して割り振られたRBの長さによって定義された時間周波数リソースでデータ伝送を受信するステップを含む。開始RBは、DCI内の周波数領域リソース割り振りフィールドの値と、基準RBと、第1の制御リソースセット（CORESET）のRBの数と、に基づくものである。連続して割り振られたRBの長さは、DCI内の周波数領域リソース割り振りフィールドの値と第1のCORESETのRBの数と、に基づくものである。
【０１６３】
いくつかの実施形態では、データ伝送を受信するステップは、データ伝送を、物理RBのインターリーブバンドルによって定義された時間周波数リソースで受信するステップであって、物理RBのインターリーブバンドルが、仮想開始RBと、連続して割り振られた仮想RBの長さと、インターリーブマッピングと、物理RBの基準バンドルと、に基づくものである、ステップを含む。
【０１６４】
いくつかの実施形態では、基準RBは、第2のCORESET内の最低番号の物理リソースブロック（PRB）であり、第2のCORESETは、DCIがUEによって復号されているCORESETである。
【０１６５】
任意選択の、さらなるステップ1130は、UEにより、DCIが非インターリーブVRB対PRBマッピングでのデータ伝送のためのフォールバックDCIであり、フォールバックDCIが共通探索空間で復号され、データ伝送では仮想RB nがPRB
【数２５】
2021507651.tif 000028
にマップされ、PRB
【数２６】
2021507651.tif 000029
が、フォールバックDCIがUEによって復号されているCORESET内の最低番号のPRBである、と判断するステップを含む。
【０１６６】
いくつかの実施形態では、アクティブなDL BWPは、仮想RBのバンドル対物理RBのインターリーブバンドルのインターリーブマッピングに基づくデータ伝送のためのRBの分配を含み、開始RBは仮想開始RBであり、連続して割り振られたRBの長さは連続して割り振られた仮想RBの長さであり、仮想開始RBは連続して割り振られた仮想RBの長さの開始を定義する。
【０１６７】
いくつかの実施形態では、物理RBの基準バンドルは、第2のCORESET内の最低番号の物理リソースブロック（PRB）を含む物理RBのバンドルであり、第2のCORESETは、DCIがUEによって復号されているCORESETである。
【０１６８】
いくつかの実施形態では、DCIはフォールバックDCIである。
【０１６９】
いくつかの実施形態では、第1のCORESETは「0」というCORESET識別子と関連付けられている。
【０１７０】
いくつかの実施形態では、DCIはUEのグループと関連付けられており、DCIによってスケジュールされたデータ伝送は、UEのグループ内のすべてのUEに同じ時間周波数リソースで割り振られたダウンリンクデータ伝送である。
【０１７１】
図12に、本開示の一実施形態による無線通信のための別の例示的な方法1200を記述する流れ図を示す。本方法1200は、デバイスにより、アクティブなダウンリンク（DL）帯域幅部分（BWP）の物理ダウンリンク制御チャネル（PDCCH）でダウンリンク制御情報（DCI）を送信するステップ1210を含む。DCIはデータ伝送をスケジュールするためのものであり、DCIは周波数領域リソース割り振りフィールドを含む。デバイスは、例えば基地局などのネットワークアクセスポイントであり得る。
【０１７２】
別のステップ1220は、デバイスにより、UEに、少なくとも開始リソースブロック（RB）および連続して割り振られたRBの長さによって定義された時間周波数リソースでデータ伝送を送信するステップを含む。開始RBは、DCI内の周波数領域リソース割り振りフィールドの値と、基準RBと、第1の制御リソースセット（CORESET）のRBの数と、に基づくものである。連続して割り振られたRBの長さは、DCI内の周波数領域リソース割り振りフィールドの値と第1のCORESETのRBの数と、に基づくものである。
【０１７３】
いくつかの実施形態では、基準RBは、第2のCORESET内の最低番号の物理リソースブロック（PRB）であり、第2のCORESETは、DCIがUEによって復号されているCORESETである。
【０１７４】
いくつかの実施形態では、アクティブなDL BWPは、仮想RBのバンドル対物理RBのインターリーブバンドルのインターリーブマッピングに基づくデータ伝送のためのRBの分配を含み、開始RBは仮想開始RBであり、連続して割り振られたRBの長さは連続して割り振られた仮想RBの長さであり、仮想開始RBは連続して割り振られた仮想RBの長さの開始を定義する。
【０１７５】
いくつかの実施形態では、データ伝送を送信するステップは、データ伝送を、物理RBのインターリーブバンドルによって定義された時間周波数リソースで送信するステップであって、物理RBのインターリーブバンドルが、仮想開始RBと、連続して割り振られた仮想RBの長さと、インターリーブマッピングと、物理RBの基準バンドルとに基づくものである、ステップを含む。
【０１７６】
いくつかの実施形態では、物理RBの基準バンドルは、第2のCORESET内の最低番号の物理リソースブロック（PRB）を含む物理RBのバンドルであり、第2のCORESETは、DCIがUEによって復号されているCORESETである。
【０１７７】
いくつかの実施形態では、DCIはフォールバックDCIである。
【０１７８】
いくつかの実施形態では、第1のCORESETは「0」というCORESET識別子と関連付けられている。
【０１７９】
いくつかの実施形態では、DCIはUEのグループと関連付けられており、DCIによってスケジュールされたデータ伝送は、UEのグループ内のすべてのUEに同じ時間周波数リソースで割り振られたダウンリンクデータ伝送である。
【０１８０】
本開示の一態様によれば、無線通信のための方法が提供される。本方法は、ユーザ機器（UE）により、第1の帯域幅部分（BWP）の物理ダウンリンク制御チャネル（PDCCH）でダウンリンク制御情報（DCI）を受信するステップと、UEにより、DCI内の周波数領域リソース割り振りフィールドの値と、基準RBと、第2のBWPの基準サイズとに基づいてDCIによって割り振られたデータ伝送のための開始リソースブロック（RB）を決定するステップと、UEにより、データ伝送を送信または受信するステップと、を含む。
【０１８１】
いくつかの実施形態では、本方法は、UEにより、DCI内の周波数領域リソース割り振りフィールドの値と第2のBWPの基準サイズとに基づいてデータ伝送のための連続して割り振られたRBの長さを決定するステップであって、データ伝送を送信または受信するステップが、少なくとも開始RBおよび連続して割り振られたRBの長さによって定義された時間周波数リソースで割り振られたデータ伝送を送信または受信するステップを含む、ステップをさらに含む。
【０１８２】
いくつかの実施形態では、DCIはUEのグループと関連付けられており、DCIによって割り振られたデータ伝送は、UEのグループ内のすべてのUEに同じ時間周波数リソースで割り振られたダウンリンクデータ伝送である。
【０１８３】
いくつかの実施形態では、第1のBWPはアクティブなBWPであり、第2のBWPは初期ダウンリンク（DL）BWPである。
【０１８４】
いくつかの実施形態では、基準RBは、DCIがUEによって復号されているPDCCHの最低番号のリソース要素グループ（REG）、DCIがUEによって復号されている制御リソースセット（CORESET）の最低番号の物理リソースブロック（PRB）、アクティブなBWPにおける最小のCORESET識別子（ID）を有する構成CORESETの最低番号のPRB、UEによって使用される初期DL BWPの最低番号のPRB、最小のBWP IDを有する構成されたBWPの最低番号のPRB、デフォルトのBWPの最低番号のPRB、および上位層シグナリングによって構成されたPRB、のうちの少なくとも1つである。
【０１８５】
いくつかの実施形態では、第2のBWPの基準サイズは、初期DL BWPのRBの数、DCIがUEによって復号されている制御リソースセット（CORESET）を構成するRBの数、アクティブなBWPにおける最小のCORESET識別子（ID）を有する構成されたCORESETを定義するRBの数、最小のBWP IDを有する構成されたBWPのサイズを定義するRBの数、デフォルトのBWPのサイズを定義するRBの数、および上位層シグナリングによって構成されたRBの数、のうちの少なくとも1つと等しいRBの数である。
【０１８６】
いくつかの実施形態では、データ伝送のために割り振られたRBが、仮想RBのバンドル対物理RBのインターリーブバンドルのインターリーブマッピングに基づいて第1のBWP上で分配され、開始RBは仮想開始RBであり、基準RBは仮想基準RBである。
【０１８７】
いくつかの実施形態では、本方法は、UEが、少なくとも、仮想開始RBと、インターリーブマッピングと、物理RBの基準バンドルとに基づいてデータ伝送のための物理RBのインターリーブバンドルを決定するステップであって、データ伝送を送信または受信するステップが、少なくとも一部が物理RBのインターリーブバンドルによって定義された時間周波数リソースで割り振られたデータ伝送を送信または受信するステップを含む、ステップをさらに含む。
【０１８８】
いくつかの実施形態では、仮想開始RBは連続して割り振られた仮想RBの長さの開始を定義し、物理RBのインターリーブバンドルを決定するステップは、連続して割り振られた仮想RBの長さにさらに基づいて物理RBのインターリーブバンドルを決定するステップを含む。
【０１８９】
いくつかの実施形態では、DCIはフォールバックDCIである。
【０１９０】
本開示の別の態様によれば、プロセッサと、コンピュータ実行可能命令を格納しているコンピュータ可読媒体と、を含むユーザ機器（UE）が提供される。プロセッサによって実行されると、コンピュータ実行可能命令はUEに、ユーザ機器（UE）に、第1の帯域幅部分（BWP）の物理ダウンリンク制御チャネル（PDCCH）でダウンリンク制御情報（DCI）を受信させ、UEに、DCI内の周波数領域リソース割り振りフィールドの値と、基準RBと、第2のBWPの基準サイズとに基づいてDCIによって割り振られたデータ伝送のための開始リソースブロック（RB）を決定させ、UEに、データ伝送を送信または受信させる。
【０１９１】
いくつかの実施形態では、コンピュータ実行可能命令は、プロセッサによって実行されると、UEに、さらに、UEに、DCI内の周波数領域リソース割り振りフィールドの値と第2のBWPの基準サイズとに基づいてデータ伝送のための連続して割り振られたRBの長さを決定させ、データ伝送を送信または受信することは、少なくとも開始RBおよび連続して割り振られたRBの長さによって定義された時間周波数リソースで割り振られたデータ伝送を送信または受信することを含む。
【０１９２】
いくつかの実施形態では、DCIはUEのグループと関連付けられており、DCIによって割り振られたデータ伝送は、UEのグループ内のすべてのUEに同じ時間周波数リソースで割り振られたダウンリンクデータ伝送である。
【０１９３】
いくつかの実施形態では、第1のBWPはアクティブなBWPであり、第2のBWPは初期ダウンリンク（DL）BWPである。
【０１９４】
いくつかの実施形態では、基準RBは、DCIがUEによって復号されているPDCCHの最低番号のリソース要素グループ（REG）、DCIがUEによって復号されている制御リソースセット（CORESET）の最低番号の物理リソースブロック（PRB）、アクティブなBWPにおける最小のCORESET識別子（ID）を有する構成CORESETの最低番号のPRB、UEによって使用される初期DL BWPの最低番号のPRB、最小のBWP IDを有する構成されたBWPの最低番号のPRB、デフォルトのBWPの最低番号のPRB、および上位層シグナリングによって構成されたPRB、のうちの少なくとも1つである。
【０１９５】
いくつかの実施形態では、第2のBWPの基準サイズは、初期DL BWPのRBの数、DCIがUEによって復号されている制御リソースセット（CORESET）を構成するRBの数、アクティブなBWPにおける最小のCORESET識別子（ID）を有する構成されたCORESETを定義するRBの数、最小のBWP IDを有する構成されたBWPのサイズを定義するRBの数、デフォルトのBWPのサイズを定義するRBの数、および上位層シグナリングによって構成されたRBの数、のうちの少なくとも1つと等しいRBの数である。
【０１９６】
いくつかの実施形態では、データ伝送のために割り振られたRBが、仮想RBのバンドル対物理RBのインターリーブバンドルのインターリーブマッピングに基づいて第1のBWP上で分配され、開始RBは仮想開始RBであり、基準RBは仮想基準RBである。
【０１９７】
いくつかの実施形態では、コンピュータ実行可能命令は、プロセッサによって実行されると、UEに、さらに、少なくとも、仮想開始RBと、インターリーブマッピングと、物理RBの基準バンドルとに基づいてデータ伝送のための物理RBのインターリーブバンドルを決定させ、データ伝送を送信または受信することは、少なくとも一部が物理RBのインターリーブバンドルによって定義された時間周波数リソースで割り振られたデータ伝送を送信または受信することを含む。
【０１９８】
いくつかの実施形態では、仮想開始RBは連続して割り振られた仮想RBの長さの開始を定義し、物理RBのインターリーブバンドルを決定することは、連続して割り振られた仮想RBの長さにさらに基づいて物理RBのインターリーブバンドルを決定することを含む。
【０１９９】
いくつかの実施形態では、DCIはフォールバックDCIである。
【０２００】
本開示のさらなる態様によれば、無線通信のための方法が提供される。本方法は、第1の帯域幅部分（BWP）の物理ダウンリンク制御チャネル（PDCCH）でダウンリンク制御情報（DCI）を伝送するステップであって、DCIが、DCIによって割り振られるべきデータ伝送のための開始リソースブロック（RB）を定義するための値を有する周波数領域リソース割り振りフィールドを含み、開始RBが、基準RBおよび第2のBWPの基準サイズと併せて定義される、ステップと、基地局とユーザ機器（UE）との間で、データ伝送を送信または受信するステップと、を含む。
【０２０１】
いくつかの実施形態では、周波数領域リソース割り振りフィールドの値は、データ伝送のための連続して割り振られたRBの長さをさらに定義し、データ伝送を送信または受信するステップは、少なくとも開始RBおよび連続して割り振られたRBの長さによって定義された時間周波数リソースで割り振られたデータ伝送を送信または受信するステップを含む。
【０２０２】
いくつかの実施形態では、データ伝送のために割り振られたRBが、仮想RBのバンドル対物理RBのインターリーブバンドルのインターリーブマッピングに基づいて第1のBWP上で分配され、開始RBは仮想開始RBであり、基準RBは仮想基準RBである。
【０２０３】
いくつかの実施形態では、データ伝送のための物理RBのインターリーブバンドルは、仮想開始RB、インターリーブマッピング、連続して割り振られた仮想RBの長さ、および物理RBの基準バンドルによって定義され、データ伝送を送信または受信するステップは、少なくとも一部が物理RBのインターリーブバンドルによって定義された時間周波数リソースで割り振られたデータ伝送を送信または受信するステップを含む。
【０２０４】
いくつかの実施形態では、VRBはPRBと異なるサブキャリア間隔構成を有する。
【０２０５】
本開示のまた別の態様によれば、プロセッサと、コンピュータ実行可能命令を格納しているコンピュータ可読媒体とを含むデバイスが提供される。プロセッサによって実行されると、コンピュータ実行可能命令はデバイスに、第1の帯域幅部分（BWP）の物理ダウンリンク制御チャネル（PDCCH）でダウンリンク制御情報（DCI）を送信させ、DCIが、DCIによって割り振られるべきデータ伝送のための開始リソースブロック（RB）を定義するための値を有する周波数領域リソース割り振りフィールドを含み、開始RBが、基準RBおよび第2のBWPの基準サイズと併せて定義され、基地局とユーザ機器（UE）との間で、データ伝送を送信または受信させる。
【０２０６】
いくつかの実施形態では、周波数領域リソース割り振りフィールドの値は、データ伝送のための連続して割り振られたRBの長さをさらに定義し、データ伝送を送信または受信することは、少なくとも開始RBおよび連続して割り振られたRBの長さによって定義された時間周波数リソースで割り振られたデータ伝送を送信または受信することを含む。
【０２０７】
いくつかの実施形態では、データ伝送のために割り振られたRBが、仮想RBのバンドル対物理RBのインターリーブバンドルのインターリーブマッピングに基づいて第1のBWP上で分配され、開始RBは仮想開始RBであり、基準RBは仮想基準RBである。
【０２０８】
いくつかの実施形態では、データ伝送のための物理RBのインターリーブバンドルは、仮想開始RB、インターリーブマッピング、連続して割り振られた仮想RBの長さ、および物理RBの基準バンドルによって定義され、データ伝送を送信または受信することは、少なくとも一部が物理RBのインターリーブバンドルによって定義された時間周波数リソースで割り振られたデータ伝送を送信または受信することを含む。
【０２０９】
いくつかの実施形態では、VRBはPRBと異なるサブキャリア間隔構成を有する。
【０２１０】
本発明は例示的実施形態を参照して説明されているが、この説明は限定として解釈されることを意図されたものではない。説明を参照すれば、当業者には、例示的実施形態の様々な改変および組み合わせ、ならびに本発明の他の実施形態が明らかになるであろう。したがって、添付の特許請求の範囲は、あらゆるそうした改変形態または実施形態を包含することが意図されている。
【符号の説明】
【０２１１】
100  通信システム
110，110a，110b，110c  電子デバイス（ED）
120a，120b  無線アクセスネットワーク（RAN）
130  コアネットワーク
140  公衆交換電話網（PSTN）
150  インターネット
160  その他のネットワーク
170，170a，170b  基地局
190  エアインターフェース
200  エアインターフェースマネージャ
205  波形構成要素
210  フレーム構造構成要素
215  多元接続方式構成要素
220  プロトコル構成要素
225  符号化および変調構成要素
230  ヌメロロジー構成要素
300  処理装置
302  送受信機
304  アンテナ
306  入力／出力デバイス
308  メモリ
350  処理装置
352  送信機（TX）
353  スケジューラ
354  受信機（RX）
356  アンテナ
358  メモリ
366  入力／出力デバイス／インターフェース
【図１】
2021507651.tif 000032
【図２】
2021507651.tif 000033
【図３Ａ】
2021507651.tif 000034
【図３Ｂ】
2021507651.tif 000035
【図４Ａ】
2021507651.tif 000036
【図４Ｂ】
2021507651.tif 000037
【図５】
2021507651.tif 000038
【図６】
2021507651.tif 000039
【図７】
2021507651.tif 000040
【図８】
2021507651.tif 000041
【図９】
2021507651.tif 000042
【図１０】
2021507651.tif 000043
【図１１】
2021507651.tif 000044
【図１２】
2021507651.tif 000045
【手続補正書】
【提出日】令和2年6月17日(2020.6.17)
【手続補正１】
【補正対象書類名】特許請求の範囲
【補正対象項目名】全文
【補正方法】変更
【補正の内容】
【特許請求の範囲】
【請求項１】
無線通信のための方法であって、
ユーザ機器（UE）により、搬送波内のアクティブなダウンリンク（DL）帯域幅部分（BWP）の第2の制御リソースセット（CORESET）でダウンリンク制御情報（DCI）を受信するステップであって、前記DCIが、前記アクティブなDL BWP内のデータ伝送に割り振られた周波数リソースを示すための周波数領域リソース割り振りフィールドを含む、ステップと、
前記UEにより、前記DCI内の前記周波数領域リソース割り振りフィールドの値と、前記第2のCORESET内の最低番号の物理リソースブロック（PRB）によって定義される基準リソースブロック（RB）と、第1のCORESETのRBの数とに基づく時間周波数リソースで前記データ伝送を受信するステップと
を含む方法。
【請求項２】
前記データ伝送を受信するステップが、
開始PRBおよび連続して割り振られたPRBの長さに基づく周波数リソースで前記データ伝送を受信するステップであって、前記開始PRBが、前記DCI内の前記周波数領域リソース割り振りフィールドの前記値と、前記基準RBと、前記第1のCORESETのRBの前記数とに基づくものであり、連続して割り振られたPRBの前記長さが、前記DCI内の前記周波数領域リソース割り振りフィールドの前記値と、前記第1のCORESETのRBの前記数とに基づくものである、ステップ
を含む、請求項1に記載の方法。
【請求項３】
前記DCIが非インターリーブ仮想RB（VRB）対PRBマッピングでの前記データ伝送のためのフォールバックDCIであり、
前記フォールバックDCIが共通探索空間で復号され、
前記データ伝送では、仮想RB nがPRB
【数１】
2021507651.tif 000046
にマップされ、PRB
【数２】
2021507651.tif 000047
が、前記フォールバックDCIが前記UEによって復号されているCORESET内の最低番号のPRBであり、
前記第2のCORESETが、前記フォールバックDCIが前記UEによって復号されている前記CORESETであり、
前記基準RBが
【数３】
2021507651.tif 000048
である、請求項2に記載の方法。
【請求項４】
前記DCIがフォールバックDCIである、請求項1から3のいずれか一項に記載の方法。
【請求項５】
前記フォールバックDCIがDCIフォーマット「1_0」のフォールバックDCIである、請求項4に記載の方法。
【請求項６】
前記第1のCORESETが「0」というCORESET識別子と関連付けられている、請求項1から5のいずれか一項に記載の方法。
【請求項７】
前記DCIがUEのグループと関連付けられており、前記DCIによってスケジュールされた前記データ伝送が、前記UEのグループ内のすべてのUEに同じ時間周波数リソースで割り振られたダウンリンクデータ伝送である、請求項1から6のいずれか一項に記載の方法。
【請求項８】
無線通信のための方法であって、
ユーザ機器（UE）により、搬送波内のアクティブなダウンリンク（DL）帯域幅部分（BWP）の第2の制御リソースセット（CORESET）でダウンリンク制御情報（DCI）を受信するステップであって、前記DCIが、前記アクティブなDL BWP内のデータ伝送に割り振られた周波数リソースを示すための周波数領域リソース割り振りフィールドを含み、前記アクティブなDL BWPが、仮想リソースブロック（VRB）のバンドル対物理リソースブロック（PRB）のインターリーブバンドルのインターリーブマッピングに基づく前記データ伝送のためのリソースブロック（RB）の分配を含む、ステップと、
前記UEにより、前記インターリーブマッピングと、前記周波数領域リソース割り振りフィールドの値と、第1のCORESETのPBの数と、前記第2のCORESETのPRBの基準バンドルとに基づく時間周波数リソースで前記データ伝送を受信するステップであって、PRBの前記基準バンドルが、前記第2のCORESET内の最低番号のPRBを含む、ステップと
を含む方法。
【請求項９】
前記データ伝送を受信するステップが、
開始VRBおよび連続して割り振られたVRBの長さに基づく周波数リソースで前記データ伝送を受信するステップであって、前記開始VRBが、前記DCI内の前記周波数領域リソース割り振りフィールドの前記値と、前記第1のCORESETのRBの前記数とに基づくものであり、連続して割り振られたVRBの前記長さが、前記DCI内の前記周波数領域リソース割り振りフィールドの前記値と、前記第1のCORESETのRBの前記数とに基づくものである、ステップ
を含む、請求項8に記載の方法。
【請求項１０】
前記DCIがフォールバックDCIである、請求項8または9に記載の方法。
【請求項１１】
前記フォールバックDCIがDCIフォーマット「1_0」のフォールバックDCIである、請求項10に記載の方法。
【請求項１２】
前記第1のCORESETが「0」というCORESET識別子と関連付けられている、請求項8から11のいずれか一項に記載の方法。
【請求項１３】
前記DCIがUEのグループと関連付けられており、前記DCIによってスケジュールされた前記データ伝送が、前記UEのグループ内のすべてのUEに同じ時間周波数リソースで割り振られたダウンリンクデータ伝送である、請求項8から12のいずれか一項に記載の方法。
【請求項１４】
ユーザ機器（UE）であって、
プロセッサと、
前記プロセッサによって実行されると、前記UEに請求項1から13のいずれか一項に記載の方法を行わせるコンピュータ実行可能命令を格納しているコンピュータ可読媒体と
を含むUE。
【請求項１５】
無線通信のための方法であって、
基地局により、搬送波内のアクティブなダウンリンク（DL）帯域幅部分（BWP）の第2の制御リソースセット（CORESET）でダウンリンク制御情報（DCI）を送信するステップであって、前記DCIが、前記アクティブなDL BWP内のデータ伝送に割り振られた周波数リソースを示すための周波数領域リソース割り振りフィールドを含む、ステップと、
前記基地局により、ユーザ機器（UE）に、前記DCI内の前記周波数領域リソース割り振りフィールドの値と、前記第2のCORESET内の最低番号の物理リソースブロック（PRB）によって定義される基準リソースブロック（RB）と、第1のCORESETのRBの数とに基づく時間周波数リソースで前記データ伝送を送信するステップと
を含む方法。
【請求項１６】
前記データ伝送を送信するステップが、
開始PRBおよび連続して割り振られたPRBの長さに基づく周波数リソースで前記データ伝送を送信するステップであって、前記開始PRBが、前記DCI内の前記周波数領域リソース割り振りフィールドの前記値と、前記基準RBと、前記第1のCORESETのRBの前記数とに基づくものであり、連続して割り振られたPRBの前記長さが、前記DCI内の前記周波数領域リソース割り振りフィールドの前記値と、前記第1のCORESETのRBの前記数とに基づくものである、ステップ
を含む、請求項15に記載の方法。
【請求項１７】
前記DCIが非インターリーブ仮想RB（VRB）対PRBマッピングでの前記データ伝送のためのフォールバックDCIであり、
前記フォールバックDCIが共通探索空間で復号され、
前記データ伝送では、仮想RB nがPRB
【数４】
2021507651.tif 000049
にマップされ、PRB
【数５】
2021507651.tif 000050
が、前記フォールバックDCIが前記UEによって復号されているCORESET内の最低番号のPRBであり、
前記第2のCORESETが、前記フォールバックDCIが前記UEによって復号されている前記CORESETであり、
前記基準RBが
【数６】
2021507651.tif 000051
である、請求項16に記載の方法。
【請求項１８】
前記DCIがフォールバックDCIである、請求項15から17のいずれか一項に記載の方法。
【請求項１９】
前記フォールバックDCIがDCIフォーマット「1_0」のフォールバックDCIである、請求項18に記載の方法。
【請求項２０】
前記第1のCORESETが「0」というCORESET識別子と関連付けられている、請求項15から19のいずれか一項に記載の方法。
【請求項２１】
前記DCIがUEのグループと関連付けられており、前記DCIによってスケジュールされた前記データ伝送が、前記UEのグループ内のすべてのUEに同じ時間周波数リソースで割り振られたダウンリンクデータ伝送である、請求項15から20のいずれか一項に記載の方法。
【請求項２２】
無線通信のための方法であって、
基地局により、搬送波内のアクティブなダウンリンク（DL）帯域幅部分（BWP）の第2の制御リソースセット（CORESET）でダウンリンク制御情報（DCI）を送信するステップであって、前記DCIが、前記アクティブなDL BWP内のデータ伝送に割り振られた周波数リソースを示すための周波数領域リソース割り振りフィールドを含み、前記アクティブなDL BWPが、仮想リソースブロック（VRB）のバンドル対物理リソースブロック（PRB）のインターリーブバンドルのインターリーブマッピングに基づく前記データ伝送のためのリソースブロック（RB）の分配を含む、ステップと、
前記基地局により、ユーザ機器（UE）に、前記インターリーブマッピングと、前記周波数領域リソース割り振りフィールドの値と、第1のCORESETのPBの数と、前記第2のCORESETのPRBの基準バンドルとに基づく時間周波数リソースで前記データ伝送を送信するステップであって、PRBの前記基準バンドルが、前記第2のCORESET内の最低番号のPRBを含む、ステップと
を含む方法。
【請求項２３】
前記データ伝送を送信するステップが、
開始VRBおよび連続して割り振られたVRBの長さに基づく周波数リソースで前記データ伝送を送信するステップであって、前記開始VRBが、前記DCI内の前記周波数領域リソース割り振りフィールドの前記値と、前記第1のCORESETのRBの前記数とに基づくものであり、連続して割り振られたVRBの前記長さが、前記DCI内の前記周波数領域リソース割り振りフィールドの前記値と、前記第1のCORESETのRBの前記数とに基づくものである、ステップ
を含む、請求項22に記載の方法。
【請求項２４】
前記DCIがフォールバックDCIである、請求項22または23に記載の方法。
【請求項２５】
前記フォールバックDCIがDCIフォーマット「1_0」のフォールバックDCIである、請求項24に記載の方法。
【請求項２６】
前記第1のCORESETが「0」というCORESET識別子と関連付けられている、請求項22から25のいずれか一項に記載の方法。
【請求項２７】
前記DCIがUEのグループと関連付けられており、前記DCIによってスケジュールされた前記データ伝送が、前記UEのグループ内のすべてのUEに同じ時間周波数リソースで割り振られたダウンリンクデータ伝送である、請求項22から26のいずれか一項に記載の方法。
【請求項２８】
デバイスであって、
プロセッサと、
前記プロセッサによって実行されると、前記デバイスに請求項15から27のいずれか一項に記載の方法を行わせるコンピュータ実行可能命令を格納しているコンピュータ可読媒体と
を含むデバイス。
【国際調査報告】
2021507651.tif 000052
2021507651.tif 000053
2021507651.tif 000054